(57)【要約】【課題】従来のテレビでは放送されるデータの情報のみしか得ることが出来ず、ユーザーの欲する特定の情報を全ての放送局において出得することができなかった。【解決手段】受信者が画面上で興味のある情報を見たら、情報サーバーへ通知し、その通知に基づいて情報サーバーは関連しそうな情報を当該端末に送信する。受信端末は送られてきたその情報の中から自分の欲しい情報をさらに選択する。【選択図】　図１
2004007323.tif 000002
【特許請求の範囲】
【請求項１】
放送局からの信号を受信し復号して映像信号および音声信号を出力するとともに、通信回線を介して情報サーバーから使用者が欲している情報を得るテレビジョン放送受信機であって、通信回線を介して外部と通信可能な通信手段と、使用者が欲している情報を推定するための推定情報を記憶するメモリと、前記情報サーバーから得た使用者が欲している情報を表示する表示手段と、外部からの指示を受け付ける指示受付手段と、前記指示受付手段が受け付けた指示が、使用者が欲している情報を取得する指示であれば、前記通信手段を制御し、前記通信回線を介して前記情報サーバーに接続し、前記推定情報を前記メモリから読み出して前記情報サーバーに送信した後に、該当する使用者が欲している情報を前記情報サーバーから受信するよう制御する制御手段とを備えるテレビジョン放送受信機。
【請求項２】
前記使用者が欲している情報とは番組に関連する情報であり、前記推定情報とは少なくとも番組を推定するための番組推定情報である請求項１記載のテレビジョン放送受信機。
【請求項３】
前記番組推定情報とは少なくとも放送局名や番組名を含む事を特徴とする請求項２記載のテレビジョン放送受信機。
【請求項４】
前記番組推定情報とは少なくとも日時やチャンネルや地域情報を含む事を特徴とする請求項２記載のテレビジョン放送受信機。
【請求項５】
前記推定情報とは表示画面上のカーソル位置または番組から提示される事前に取り決められた選択枝の選択情報である事を特徴とする請求項１記載のテレビジョン放送受信機。
【請求項６】
前記番組推定情報によって推定する対象の番組は現在視聴中の番組である請求項２または請求項３または請求項４記載のテレビジョン放送受信機。
【請求項７】
前記指示受付手段が受け付けた指示が前記番組推定情報を保持する指示であった場合、少なくともその前記番組推定情報を用いて関連する情報を取得する制御までは、前記番組推定情報を保持することを特徴とする請求項６記載のテレビジョン放送受信機。
【請求項８】
前記表示手段は放送局から番組の信号を受信し復号した映像信号と通信回線を介して情報サーバーから得た使用者が欲している情報を重ねあわせて表示することを特徴とする請求項１記載のテレビジョン放送受信機。
【請求項９】
視聴番組が終了した事を検出する番組終了検出手段を備え、前記制御手段は番組終了後に前記番組推定情報に該当する番組の関連する情報を前記情報サーバーから受信するよう制御する制御手段とを備える請求項７記載のテレビジョン放送受信機。
【請求項１０】
視聴番組が変わった事を検出する番組変更検出手段を備え、前記制御手段は番組が変わった後に前記番組推定情報に該当する番組の関連する情報を前記情報サーバーから受信するよう制御する制御手段とを備える請求項７記載のテレビジョン放送受信機。
【請求項１１】
番組の番組名を取得する番組名取得手段を備え、前記使用者が欲している情報とは番組に関連する情報であり、前記推定情報とは少なくとも番組名である請求項１記載のテレビジョン放送受信機。
【請求項１２】
前記番組名とともに表示画面上のカーソル位置または番組から提示される事前に取り決められた選択枝の選択情報を前記推定情報として前記メモリに記憶する事を特徴とする請求項１１記載のテレビジョン放送受信機。
【請求項１３】
前記番組に関連する情報の対象の番組は現在視聴中の番組である請求項１１または請求項１２記載のテレビジョン放送受信機。
【請求項１４】
前記指示受付手段が受け付けた指示が前記メモリに記憶されている前記推定情報を保持する指示であった場合、少なくとも前記推定情報を用いて関連する情報を取得する制御までは、前記推定情報を保持することを特徴とする請求項１３記載のテレビジョン放送受信機。
【請求項１５】
視聴番組が終了した事を検出する番組終了検出手段を備え、前記制御手段は番組終了後に前記推定情報に該当する番組の関連する情報を前記情報サーバーから受信するよう制御する制御手段とを備える請求項１３または請求項１４記載のテレビジョン放送受信機。
【請求項１６】
視聴番組が変わった事を検出する番組変更検出手段を備え、前記制御手段は視聴番組が変わった後に前記推定情報に該当する番組の関連する情報を前記情報サーバーから受信するよう制御する制御手段とを備える請求項１３または請求項１４記載のテレビジョン放送受信機。
【請求項１７】
現在日時を取得し記憶する日時記憶手段と、使用者が欲している情報とともに関連付けられた日時情報を受信し、前記日時記憶手段に記憶されている日時と前記情報サーバーから受信した前記日時情報との比較結果に応じて、前記使用者が欲している情報の選択または表示の制御を行う制御手段とを備える請求項１記載のテレビジョン放送受信機。
【請求項１８】
前記番組に関連する情報とは番組で案内されたＵＲＬ（Ｕｎｉｆｏｒｍ　Ｒｅｓｏｕｒｃｅ　Ｌｏｃａｔｏｒ）であり、前記関連付けられた日時情報とは番組で案内された日時である請求項１７記載のテレビジョン放送受信機。
【請求項１９】
番組の番組名を取得する番組名取得手段を備え、前記推定情報とは少なくとも番組名である請求項１７または請求項１８記載のテレビジョン放送受信機。
【請求項２０】
通信回線を介して情報提供サービスを行う情報サーバーであって、番組名により関連付けられた番組に関連する情報と日時情報を蓄積する蓄積手段と、番組名を伴った番組に関連する情報に対するアクセスに対して、関連付けられた番組に関連する情報と日時情報を前記蓄積手段より検索し取得する情報管理手段と、情報管理手段が取得した番組に関連する情報と日時情報をアクセス元に返送する返送手段とを備えた情報サーバー。
【請求項２１】
前記番組に関連する情報とは番組で案内されたＵＲＬ（Ｕｎｉｆｏｒｍ　Ｒｅｓｏｕｒｃｅ　Ｌｏｃａｔｏｒ）であり、前記関連付けられた日時情報とは番組で案内された日時である請求項２０記載の情報サーバー。
【請求項２２】
前記番組に関連する情報とはＵＲＬ（Ｕｎｉｆｏｒｍ　Ｒｅｓｏｕｒｃｅ　Ｌｏｃａｔｏｒ）を含んだ情報であり、そのＵＲＬが示す所在地には前記番組に関連する情報のより詳細な情報を蓄積している請求項２０記載の情報サーバー。
【請求項２３】
前記使用者が欲している情報とは使用者個別の番組表情報であることを特徴とする請求項１記載のテレビジョン放送受信機。
【請求項２４】
前記推定情報とは使用者の嗜好を示す情報であることを特徴とする請求項２３記載のテレビジョン放送受信機。
【請求項２５】
前記推定情報とは使用者の視聴履歴のデータに基づいた情報であることを特徴とする請求項２３記載のテレビジョン放送受信機。
【請求項２６】
前記推定情報とは使用者の識別情報であることを特徴とする請求項２３記載のテレビジョン放送受信機。
【請求項２７】
使用者の嗜好を示す情報を取得する嗜好情報取得手段と、放送局が放送する番組表情報を取得する番組表取得手段と、前記番組表取得手段が取得した前記番組表情報を記憶する番組表メモリと、前記指示受付手段が受け付けた指示が使用者個別の番組表情報を表示する指示であれば、前記番組表メモリに記憶されている前記番組表情報より前記メモリに記憶されている前記推定情報を使用して検索した使用者個別の番組表情報と前記通信手段を制御し前記通信回線を介して前記情報サーバーに接続し前記メモリに記憶されている前記推定情報を読み出して前記情報サーバーに送信した後に受信した使用者個別の番組表情報とを編集した結果を前記表示制御手段を用いて表示するよう制御する制御手段とを備えた請求項２４記載のテレビジョン放送受信機。
【請求項２８】
使用者の視聴履歴データを生成する視聴履歴生成手段と、前記視聴履歴データに基づいて使用者の嗜好を示す情報を推定する嗜好推定手段と、放送局が放送する番組表情報を取得する番組表取得手段と、前記番組表取得手段が取得した前記番組表情報を記憶する番組表メモリと、前記指示受付手段が受け付けた指示が使用者個別の番組表情報を表示する指示であれば、前記番組表メモリに記憶されている前記番組表情報より前記メモリに記憶されている前記推定情報を使用して検索した使用者個別の番組表情報と前記通信手段を制御し前記通信回線を介して前記情報サーバーに接続し前記メモリに記憶されている前記推定情報を読み出して前記情報サーバーに送信した後に受信した使用者個別の番組表情報とを編集した結果を前記表示制御手段を用いて表示するよう制御する制御手段とを備えた請求項２４記載のテレビジョン放送受信機。
【請求項２９】
通信回線を介して情報提供サービスを行う情報サーバーであって、嗜好情報と関連付けられた番組表情報を蓄積する蓄積手段と、嗜好情報を伴った番組表情報に対するアクセスに対して、関連付けられた番組表情報を前記蓄積手段より検索し取得する情報管理手段と、情報管理手段が取得した番組表情報をアクセス元に返送する返送手段とを備えた情報サーバー。
【請求項３０】
通信回線を介して情報提供サービスを行う情報サーバーであって、登録使用者の嗜好情報を蓄積する嗜好情報蓄積手段と、嗜好情報と関連付けられた番組表情報を蓄積する蓄積手段と、使用者識別情報を伴った番組表情報に対するアクセスに対して、関連付けられた該当する使用者の嗜好情報を前記嗜好情報蓄積手段から取得し、その嗜好情報を用いて前記蓄積手段より使用者個別の番組表情報を検索し取得する情報管理手段と、情報管理手段が取得した使用者個別の番組表情報をアクセス元に返送する返送手段とを備えた情報サーバー。
【請求項３１】
番組表表示おける番組時間表示においてライブ番組であれば放送時刻をサーバーに蓄積されたビデオオンデマンド番組であれば番組時間を表示する請求項２７記載のテレビジョン放送受信機。
【請求項３２】
使用者の識別情報を保持する識別情報メモリと、放送局が放送する番組表情報を取得する番組表取得手段と、前記番組表取得手段が取得した前記番組表情報を記憶する番組表メモリと、前記指示受付手段が受け付けた指示が使用者個別の番組表情報を表示する指示であれば、前記番組表メモリに記憶されている前記番組表情報より前記メモリに記憶されている前記推定情報を使用して検索した使用者個別の番組表情報と前記通信手段を制御し前記通信回線を介して前記情報サーバーに接続し前記メモリに記憶されている前記推定情報を読み出して前記情報サーバーに送信した後に受信した使用者個別の番組表情報とを編集した結果を前記表示制御手段を用いて表示するよう制御する制御手段とを備えた請求項２６記載のテレビジョン放送受信機。
【請求項３３】
番組名を送信した後に番組に関連する情報と関連付けられた日時情報を請求項２０記載の情報サーバーより受信する請求項１９記載のテレビジョン放送受信機。
【請求項３４】
番組名を送信した後に番組で案内されたＵＲＬ（ＵｎｉｆｏｒｍＲｅｓｏｕｒｃｅＬｏｃａｔｏｒ）情報と番組で案内された日時情報を請求項２１記載の情報サーバーより受信する請求項１９記載のテレビジョン放送受信機。
【請求項３５】
使用者の嗜好を示す情報を送信した後に使用者個別の番組表情報を請求項２９記載の情報サーバーより受信する請求項２７または請求項２８記載のテレビジョン放送受信機。
【請求項３６】
使用者の識別情報を送信した後に使用者個別の番組表情報を請求項３０記載の情報サーバーより受信する請求項３２記載のテレビジョン放送受信機。
【請求項３７】
前記使用者が欲している情報とは情報サーバー内のコンテンツと関連するアイコンデータであることを特徴とする請求項１記載のテレビジョン放送受信機。
【請求項３８】
前記推定情報とは情報サーバー内のコンテンツを識別する情報であることを特徴とする請求項３７記載のテレビジョン放送受信機。
【請求項３９】
前記推定情報とは少なくとも放送局名や番組名を含む事を特徴とする請求項３７記載のテレビジョン放送受信機。
【請求項４０】
前記推定情報とは少なくとも日時やチャンネルや地域情報を含む事を特徴とする請求項３７記載のテレビジョン放送受信機。
【請求項４１】
前記推定情報とは表示画面上のカーソル位置または番組から提示される事前に取り決められた選択枝の選択情報である事を特徴とする請求項３７記載のテレビジョン放送受信機。
【請求項４２】
前記推定情報とは使用者の嗜好を示す情報であることを特徴とする請求項３７記載のテレビジョン放送受信機。
【請求項４３】
通信回線を介して情報提供サービスを行う情報サーバーであって、推定情報により関連付けられたコンテンツとアイコンデータを蓄積する蓄積手段と、推定情報を伴った情報に対するアクセスに対して、関連付けられたアイコンデータを前記蓄積手段より検索し取得する情報管理手段と、情報管理手段が取得したアイコンデータと関連するコンテンツの所在情報をアクセス元に返送する返送手段とを備えた情報サーバー。
【請求項４４】
コンテンツを識別する情報を送信した後に情報サーバー内のコンテンツと関連するアイコンデータを請求項４３記載の情報サーバーより受信する請求項３８記載のテレビジョン放送受信機。
【請求項４５】
番組名を送信した後に情報サーバー内のコンテンツの所在を示す情報と関連するアイコンデータを請求項４３記載の情報サーバーより受信する請求項３９記載のテレビジョン放送受信機。
【請求項４６】
日時やチャンネルや地域情報を送信した後に情報サーバー内のコンテンツの所在を示す情報と関連するアイコンデータを請求項４３記載の情報サーバーより受信する請求項４０記載のテレビジョン放送受信機。
【請求項４７】
表示画面上のカーソル位置または番組から提示される事前に取り決められた選択枝の選択情報を送信した後に情報サーバー内のコンテンツの所在を示す情報と関連するアイコンデータを請求項４３記載の情報サーバーより受信する請求項４１記載のテレビジョン放送受信機。
【請求項４８】
使用者の嗜好を示す情報を送信した後に情報サーバー内のコンテンツの所在を示す情報と関連するアイコンデータを請求項４３記載の情報サーバーより受信する請求項４２記載のテレビジョン放送受信機。
【請求項４９】
前記情報サーバー内のコンテンツは現在視聴中の番組関連情報である請求項４５または請求項４６記載または請求項４７または請求項４８記載のテレビジョン放送受信機。
【請求項５０】
前記指示受付手段が受け付けた指示が前記メモリに記憶されている前記推定情報を保持する指示であった場合、少なくとも前記推定情報を用いてアイコンデータを取得する制御までは、前記推定情報を保持することを特徴とする請求項４９記載のテレビジョン放送受信機。
【請求項５１】
前記指示受付手段が受け付けた指示が前記メモリに記憶されている前記推定情報を保持する指示であった場合、前記情報サーバーに接続しコンテンツの所在を示す情報と関連するアイコンデータを取得し、少なくとも前記コンテンツの所在を示す情報を用いて番組関連情報を取得する制御までは、情報サーバー内のコンテンツの所在を示す情報と関連するアイコンデータを保持することを特徴とする請求項４９記載のテレビジョン放送受信機。
【請求項５２】
視聴番組が終了した事を検出する番組終了検出手段を備え、前記制御手段は番組終了後に前記推定情報に該当するアイコンデータを前記情報サーバーから受信するよう制御する制御手段とを備える請求項５０記載のテレビジョン放送受信機。
【請求項５３】
視聴番組が変わった事を検出する番組変更検出手段を備え、前記制御手段は視聴番組が変わった後に前記推定情報に該当するアイコンデータを前記情報サーバーから受信するよう制御する制御手段とを備える請求項５０記載のテレビジョン放送受信機。
【請求項５４】
視聴番組が終了した事を検出する番組終了検出手段を備え、前記制御手段は番組終了後に前記推定情報に該当する番組関連情報を前記情報サーバーから受信するよう制御する制御手段とを備える請求項５１記載のテレビジョン放送受信機。
【請求項５５】
視聴番組が変わった事を検出する番組変更検出手段を備え、前記制御手段は視聴番組が変わった後に前記推定情報に該当する番組関連情報を前記情報サーバーから受信するよう制御する制御手段とを備える請求項５１記載のテレビジョン放送受信機。
【発明の詳細な説明】
【０００１】
【発明の属する技術分野】
本発明は、デジタルテレビジョン放送受信機やパーソナルコンピュータや携帯電話機などテレビジョン放送を受信して表示する機器そしてネットワーク上で情報提供する情報サーバーに関するものである。
【０００２】
【従来の技術】
近年、デジタルテレビジョン放送が開始されてきており、データ放送を用いた双方向サービスも始まっている。
【０００３】
以下に従来のテレビジョン放送受信機について説明する。図８は従来のテレビジョン放送受信機の構成を示すものである。
【０００４】
図８において、３３はデジタルテレビジョン放送受信機である。２１はチューナーで、アンテナが受信したデジタルテレビジョン放送の選局を行った後復調したトランスポートストリームを出力する。２２はトランスポートストリーム（ＴＳ）デコーダーで、チューナー２１が出力するトランスポートストリームを入力し、ユーザーが選択した番組のＡＶのストリームやデータ放送関係のパケットをフィルタリングして出力する。そのフィルタリングはＰＡＴパケットやＰＭＴパケット内に記載されているＰＩＤを用いて行われる事はデジタルテレビジョンにおいて周知の技術であるので詳細説明は省略する。
【０００５】
２３はＡＶデコーダーでトランスポートストリームデコーダー２２が出力するＡＶのストリームを入力し、ＡＶデコードして出力する。２４はバッファーメモリで、トランスポートデコーダー２２がフィルタリングしたデータ放送のパケットを記憶する。２５はマイコンで、デジタルテレビジョン放送受信機３３の各要素の制御を行う。詳細は後述する。
【０００６】
２６はリモコンで、ユーザーインターフェースである。２７は受光回路で、リモコン２６からの信号を受信し電気信号をマイコン２５に出力する。２８はＯＳＤコントローラーで、データ放送画面を構成する文字やグラフィクスを画素データに展開しＡＶデコーダー２３に出力する。ＡＶデコーダー２３ではビデオデコードした映像とＯＳＤコントローラ２８から入力した文字やグラフィクスを合成して出力する。
【０００７】
３０はモデムで、通信会社の通信回線に接続されており、マイコン２５の制御で通信回線からのデータを受信して復調しマイコン２５に出力したり、送信データを変調して通信回線に出力する。一般的には通信回線を介して視聴情報収集センターと接続し視聴履歴情報を送信する。
【０００８】
次に従来のテレビジョン放送受信機の動作について図９を用いて説明する。
【０００９】
ユーザーは、番組を視聴中にデータ放送で放送局から送られている天気予報や番組に関連する情報などを欲した場合、デジタル放送受信機３３に対してデーター放送のメニュー画面を表示するよう指示する（ＳＴＥＰ２１）。指示方法はリモコン２６の専用キー用いて操作する事が一般的である。
【００１０】
マイコン２５は受光回路２７を介してその指示を入力し、該当するメニュー画面の要素である各種パケットを展開し、ＯＳＤコントローラに展開した文字やグラフィクスデータを出力し視聴中の番組の映像と文字やグラフィクスを重ねあわせてメニュー画面を表示する（ＳＴＥＰ２２）。
【００１１】
ユーザーはメニュー画面を見て欲する情報に到達するようリモコン２６を操作する。この場合メニュー上のボタンをリモコンの方向キーを用いて選択して決定キーを押したり、メニュー上に示されているカラーボタンの選択肢に応じてカラーボタンを選択して押す場合が一般的である（ＳＴＥＰ２３）。
【００１２】
マイコン２５は受光回路２７を介してその指示を入力し、該当する情報の要素である各種パケットを展開し、ＯＳＤコントローラに展開した文字やグラフィクスデータを出力し視聴中の番組の映像と文字やグラフィクスを重ねあわせてユーザーの選択した情報を表示する（ＳＴＥＰ２４）。
【００１３】
【発明が解決しようとする課題】
しかしながら上記のような構成では、放送局が制作し放送するデータ放送や番組表やアイコンの情報のみしか得る事ができず、情報の内容も放送局毎に異なる状況においては、ユーザーの欲する特定の情報を全国レベルで全ての放送局において常に得ることができないという問題が生じていた。
【００１４】
また、放送局とは異なる事業者が、各放送局が放送する全ての番組の関連情報を提供する情報サーバーを通信回線上に設置したとしても、そのような情報サーバーに対してユーザーの要求を推定するための適切な情報を伝える事ができず、ユーザーの欲する情報を確実に得る事ができないという問題が生じていた。
【００１５】
また、ユーザーが番組に関連する情報を番組視聴終了後に見たいという要求に対しては、従来のテレビジョン放送受信機では現在放送されているデータ放送しか表示できず、関連するアイコンを表示できないため対応できないという問題が生じていた。
【００１６】
本発明は上記従来の問題点を解決するテレビジョン放送受信機を提供することを目的とする。
【００１７】
【課題を解決するための手段】
第一の本発明（請求項１に対応）は、放送局からの信号を受信し復号して映像信号および音声信号を出力するとともに、通信回線を介して情報サーバーから使用者が欲している情報を得るテレビジョン放送受信機であつて、通信回線を介して外部と通信可能な通信手段と、使用者が欲している情報を推定するための推定情報を記憶するメモリと、前記情報サーバーから得た使用者が欲している情報を表示する表示手段と、外部からの指示を受け付ける指示受付手段と、前記指示受付手段が受け付けた指示が、使用者が欲している情報を取得する指示であれば、前記通信手段を制御し、前記通信回線を介して前記情報サーバーに接続し、前記推定情報を前記メモリから読み出して前記情報サーバーに送信した後に、該当する使用者が欲している情報を前記情報サーバーから受信するよう制御する制御手段とを備えることを特徴とする。
【００１８】
第二の本発明（請求項２に対応）は、第一の本発明の特徴に加えて、前記使用者が欲している情報とは番組に関連する情報であり、前記推定情報とは番組を推定するための番組推定情報であることを特徴とする。
【００１９】
第三の本発明（請求項３に対応）は、第二の本発明の特徴に加えて、前記番組推定情報とは少なくとも放送局名や番組名を含む事を特徴とする。
【００２０】
第四の本発明（請求項４に対応）は、第二の本発明の特徴に加えて、前記番組推定情報とは少なくとも日時や視聴チャンネルや地域情報を含む事を特徴とする。
【００２１】
第五の本発明（請求項５に対応）は、第一の本発明の特徴に加えて、前記推定情報とは表示画面上のカーソル位置または番組から提示される事前に取り決められた選択枝の選択情報である事を特徴とする。
【００２２】
第六の本発明（請求項６に対応）は、第二の本発明または第三の本発明または第四の本発明の特徴に加えて、前記番組推定情報により推定される番組は現在視聴中の番組であることを特徴とする。
【００２３】
第七の本発明（請求項７に対応）は、第六の本発明の特徴に加えて、前記指示受付手段が受け付けた指示が前記番組推定情報を保持する指示であった場合、少なくともその前記番組推定情報を用いて関連する情報を取得する制御までは、前記番組推定情報を保持することを特徴とする。
【００２４】
第八の本発明（請求項８に対応）は、第一の本発明の特徴に加えて、前記表示手段は放送局から番組の信号を受信し復号した映像信号と通信回線を介して情報サーバーから得た使用者が欲している情報を重ねあわせて表示することを特徴とする。
【００２５】
第九の本発明（請求項９に対応）は、第七の本発明の特徴に加えて、視聴番組が終了した事を検出する番組終了検出手段を備え、前記制御手段は番組終了後に前記番組推定情報に該当する番組の関連する情報を前記情報サーバーから受信するよう制御する制御手段とを備える事を特徴とする。
【００２６】
第十の本発明（請求項１０に対応）は、第七の本発明の特徴に加えて、視聴番組が変わった事を検出する番組変更検出手段を備え、前記制御手段は番組が変わった後に前記番組推定情報に該当する番組の関連する情報を前記情報サーバーから受信するよう制御する制御手段とを備えることを特徴とする。
【００２７】
第十一の本発明（請求項１１に対応）は、第一の本発明の特徴に加えて、番組の番組名を取得する番組名取得手段を備え、前記使用者が欲している情報とは番組に関連する情報であり、前記推定情報とは少なくとも番組名であることを特徴とする。
【００２８】
第十二の本発明（請求項１２に対応）は、第十一の本発明の特徴に加えて、前記番組名とともに表示画面上のカーソル位置または番組から提示される事前に取り決められた選択枝の選択情報を前記推定情報として前記メモリに記憶する事を特徴とする。
【００２９】
第十三の本発明（請求項１３に対応）は、第十一または第十二の本発明の特徴に加えて、前記番組に関連する情報の対象の番組は現在視聴中の番組であることを特徴とする。
【００３０】
第十四の本発明（請求項１４に対応）は、第十三の本発明の特徴に加えて、前記指示受付手段が受け付けた指示が前記メモリに記憶されている前記推定情報を保持する指示であった場合、少なくとも前記推定情報を用いて関連する情報を取得する制御までは、前記推定情報を保持することを特徴とする。
【００３１】
第十五の本発明（請求項１５に対応）は、第十三または十四の本発明の特徴に加えて、視聴番組が終了した事を検出する番組終了検出手段を備え、前記制御手段は番組終了後に前記推定情報に該当する番組の関連する情報を前記情報サーバーから受信するよう制御する制御手段とを備えることを特徴とする。
【００３２】
第十六の本発明（請求項１６に対応）は、第十三または十四の本発明の特徴に加えて、視聴番組が変わった事を検出する番組変更検出手段を備え、前記制御手段は視聴番組が変わった後に前記推定情報に該当する番組の関連する情報を前記情報サーバーから受信するよう制御する制御手段とを備えることを特徴とする。
【００３３】
第十七の本発明（請求項１７に対応）は、第一の本発明の特徴に加えて、現在日時を取得し記憶する日時記憶手段と、使用者が欲している情報とともに関連付けられた日時情報を受信し、前記日時記憶手段に記憶されている日時と前記情報サーバーから受信した前記日時情報との比較結果に応じて、前記使用者が欲している情報の選択または表示の制御を行う制御手段とを備えることを特徴とする。
【００３４】
第十八の本発明（請求項１８に対応）は、第十七の本発明の特徴に加えて、前記番組に関連する情報とは配信された番組で案内されたＵＲＬ（ＵｎｉｆｏｒｍＲｅｓｏｕｒｃｅ　Ｌｏｃａｔｏｒ）であり、前記関連付けられた日時情報とは番組で案内された日時であることを特徴とする。
【００３５】
第十九の本発明（請求項１９に対応）は、第十七または十八の本発明の特徴に加えて、番組の番組名を取得する番組名取得手段を備え、前記推定情報とは少なくとも番組名であることを特徴とする。
【００３６】
第二十の本発明（請求項２０に対応）は、通信回線を介して情報提供サービスを行う情報サーバーであって、番組名により対応付けられた番組に関連する情報と日時情報を蓄積する蓄積手段と、番組名を伴った番組に関連する情報に対するアクセスに対して、対応付けられた番組に関連する情報と日時情報を前記蓄積手段より検索し取得する情報管理手段と、取得した番組に関連する情報と日時情報をアクセス元に返送する返送手段を備えた情報サーバー。
【００３７】
第二十一の本発明（請求項２１に対応）は、第二十の本発明の特徴に加えて、前記番組に関連する情報とは番組で案内されたＵＲＬ（Ｕｎｉｆｏｒｍ　Ｒｅｓｏｕｒｃｅ　Ｌｏｃａｔｏｒ）であり、前記関連付けられた日時情報とは番組で案内された日時であることを特徴とする。
【００３８】
第二十二の本発明（請求項２２に対応）は、第二十の本発明の特徴に加えて、前記番組に関連する情報とはＵＲＬ（Ｕｎｉｆｏｒｍ　Ｒｅｓｏｕｒｃｅ　Ｌｏｃａｔｏｒ）を含んだ情報であり、そのＵＲＬが示す所在地には前記番組に関連する情報のより詳細な情報を蓄積していることを特徴とする。
【００３９】
第二十三の本発明（請求項２３に対応）は、第一の本発明の特徴において、前記使用者が欲している番組に関連する情報とは使用者個別の番組表情報であることを特徴とする。
【００４０】
第二十四の本発明（請求項２４に対応）は、第二十三の本発明の特徴において、前記推定情報とは使用者の嗜好を示す情報であることを特徴とする。
【００４１】
第二十五の本発明（請求項２５に対応）は、第二十三の本発明の特徴において、前記推定情報とは使用者の視聴履歴のデータに基づいた情報であることを特徴とする。
【００４２】
第二十六の本発明（請求項２６に対応）は、第二十三の本発明の特徴において、前記推定情報とは使用者の識別情報であることを特徴とする。
【００４３】
第二十七の本発明（請求項２７に対応）は、第二十四の本発明の特徴に加えて使用者の嗜好を示す情報を取得する嗜好情報取得手段と、放送局が放送する番組表情報を取得する番組表取得手段と、前記番組表取得手段が取得した前記番組表情報を記憶する番組表メモリと、前記指示受付手段が受け付けた指示が使用者個別の番組表情報を表示する指示であれば、前記番組表メモリに記憶されている前記番組表情報より前記メモリに記憶されている前記推定情報を使用して検索した使用者個別の番組表情報と前記通信手段を制御し前記通信回線を介して前記情報サーバーに接続し前記メモリに記憶されている前記推定情報を読み出して前記情報サーバーに送信した後に受信した使用者個別の番組表情報とを編集した結果を前記表示制御手段を用いて表示するよう制御する制御手段とを備える事を特徴とする。
【００４４】
第二十八の本発明（請求項２８に対応）は、第二十四の本発明の特徴に加えて使用者の視聴履歴データを生成する視聴履歴生成手段と、前記視聴履歴データに基づいて使用者の嗜好を示す情報を推定する嗜好推定手段と、放送局が放送する番組表情報を取得する番組表取得手段と、前記番組表取得手段が取得した前記番組表情報を記憶する番組表メモリと、前記指示受付手段が受け付けた指示が使用者個別の番組表情報を表示する指示であれば、前記番組表メモリに記憶されている前記番組表情報より前記メモリに記憶されている前記推定情報を使用して検索した使用者個別の番組表情報と前記通信手段を制御し前記通信回線を介して前記情報サーバーに接続し前記メモリに記憶されている前記推定情報を読み出して前記情報サーバーに送信した後に受信した使用者個別の番組表情報とを編集した結果を前記表示制御手段を用いて表示するよう制御する制御手段とを備えることを特徴とする。
【００４５】
第二十九の本発明（請求項２９に対応）は、通信回線を介して情報提供サービスを行う情報サーバーであって、嗜好情報と対応付けられた番組表情報を蓄積する蓄積手段と、嗜好情報を伴った番組表情報に対するアクセスに対して、対応付けられた番組表情報を前記蓄積手段より検索し取得する情報管理手段と、情報管理手段が取得した番組表情報をアクセス元に返送する返送手段とを備えた情報サーバーを特徴とする。
【００４６】
第三十の本発明（請求項３０に対応）は、通信回線を介して情報提供サービスを行う情報サーバーであって、登録使用者の嗜好情報を蓄積する嗜好情報蓄積手段と、嗜好情報と対応付けられた番組表情報を蓄積する蓄積手段と、使用者識別情報を伴った番組表情報に対するアクセスに対して、対応付けられた該当する使用者の嗜好情報を前記嗜好情報蓄積手段から取得し、その嗜好情報を用いて前記蓄積手段より使用者個別の番組表情報を検索し取得する情報管理手段と、情報管理手段が取得した使用者個別の番組表情報をアクセス元に返送する返送手段とを備えた情報サーバーを特徴とする。
【００４７】
第三十一の本発明（請求項３１に対応）は、第二十の本発明の特徴において、番組表表示における番組時間表示においてライブ番組であれば放送時刻をサーバーに蓄積されたビデオオンデマンド番組であれば番組時間を表示することを特徴とする。
【００４８】
第三十二の本発明（請求項３２に対応）は、第二十六の本発明の特徴に加えて、使用者の識別情報を保持する識別情報メモリと、放送局が放送する番組表情報を取得する番組表取得手段と、前記番組表取得手段が取得した前記番組表情報を記憶する番組表メモリと、前記指示受付手段が受け付けた指示が使用者個別の番組表情報を表示する指示であれば、前記番組表メモリに記憶されている前記番組表情報より前記メモリに記憶されている前記推定情報を使用して検索した使用者個別の番組表情報と前記通信手段を制御し前記通信回線を介して前記情報サーバーに接続し前記メモリに記憶されている前記推定情報を読み出して前記情報サーバーに送信した後に受信した使用者個別の番組表情報とを編集した結果を前記表示制御手段を用いて表示するよう制御する制御手段とを備えることを特徴とする。
【００４９】
第三十三の本発明（請求項３３に対応）は、第十九の本発明の特徴において、番組名を送信した後に番組に関連する情報と対応付けられた日時情報を第二十の本発明の情報サーバーより受信することを特徴とする。
【００５０】
第三十四の本発明（請求項３４に対応）は、第十九の本発明の特徴において、番組名を送信した後に番組で案内されたＵＲＬ（Ｕｎｉｆｏｒｍ　Ｒｅｓｏｕｒｃｅ　Ｌｏｃａｔｏｒ）情報と番組で案内された日時情報を第二十一の本発明の情報サーバーより受信することを特徴とする。
【００５１】
第三十五の本発明（請求項３５に対応）は、第二十七または第二十八の本発明の特徴において、使用者の嗜好を示す情報を送信した後に使用者個別の番組表情報を第二十九の本発明の情報サーバーより受信することを特徴とする。
【００５２】
第三十六の本発明（請求項３６に対応）は、第三十二の本発明の特徴において、使用者の識別情報を送信した後に使用者個別の番組表情報を第三十の本発明の情報サーバーより受信することを特徴とする。
【００５３】
第三十七の本発明（請求項３７に対応）は、第一の本発明の特徴において、前記使用者が欲している情報とは情報サーバー内のコンテンツと関連するアイコンデータであることを特徴とする。
【００５４】
第三十八の本発明（請求項３８に対応）は、第三十七の本発明の特徴において、前記推定情報とは情報サーバー内のコンテンツを識別する情報であることを特徴とする。
【００５５】
第三十九の本発明（請求項３９に対応）は、第三十七の本発明の特徴において、前記推定情報とは少なくとも放送局名や番組名を含む事を特徴とする。
【００５６】
第四十の本発明（請求項４０に対応）は、第三十七の本発明の特徴において、前記推定情報とは少なくとも日時やチャンネルや地域情報を含む事を特徴とする。
【００５７】
第四十一の本発明（請求項４１に対応）は、第三十七の本発明の特徴において、前記推定情報とは表示画面上のカーソル位置または番組から提示される事前に取り決められた選択枝の選択情報である事を特徴とする。
【００５８】
第四十二の本発明（請求項４２に対応）は、第三十七の本発明の特徴において、前記推定情報とは使用者の嗜好を示す情報であることを特徴とする。
【００５９】
第四十三の本発明（請求項４３に対応）は、通信回線を介して情報提供サービスを行う情報サーバーであって、推定情報により関連付けられたコンテンツとアイコンデータを蓄積する蓄積手段と、推定情報を伴った情報に対するアクセスに対して、関連付けられたアイコンデータを前記蓄積手段より検索し取得する情報管理手段と、情報管理手段が取得したアイコンデータと関連するコンテンツの所在情報をアクセス元に返送する返送手段とを備えた情報サーバー。
【００６０】
第四十四の本発明（請求項４４に対応）は、第三十八の本発明の特徴において、コンテンツを識別する情報を送信した後に情報サーバー内のコンテンツと関連するアイコンデータを請求項４３記載の情報サーバーより受信することを特徴とする。
【００６１】
第四十五の本発明（請求項４５に対応）は、第三十九の本発明の特徴において、番組名を送信した後に情報サーバー内のコンテンツの所在を示す情報と関連するアイコンデータを請求項４３記載の情報サーバーより受信することを特徴とする。
【００６２】
第四十六の本発明（請求項４６に対応）は、第四十の本発明の特徴において、日時やチャンネルや地域情報を送信した後に情報サーバー内のコンテンツの所在を示す情報と関連するアイコンデータを請求項４３記載の情報サーバーより受信することを特徴とする。
【００６３】
第四十七の本発明（請求項４７に対応）は、第四十一の本発明の特徴において、表示画面上のカーソル位置または番組から提示される事前に取り決められた選択枝の選択情報を送信した後に情報サーバー内のコンテンツの所在を示す情報と関連するアイコンデータを請求項４３記載の情報サーバーより受信することを特徴とする。
【００６４】
第四十八の本発明（請求項４８に対応）は、第四十二の本発明の特徴において、使用者の嗜好を示す情報を送信した後に情報サーバー内のコンテンツの所在を示す情報と関連するアイコンデータを請求項４３記載の情報サーバーより受信することを特徴とする。
【００６５】
第四十九の本発明（請求項４９に対応）は、第四十六または第四十七または第四十八または第四十九の本発明の特徴において、前記情報サーバー内のコンテンツは現在視聴中の番組関連情報であることを特徴とする。
【００６６】
第五十の本発明（請求項５０に対応）は、第四十九の本発明の特徴において、前記指示受付手段が受け付けた指示が前記メモリに記憶されている前記推定情報を保持する指示であった場合、少なくとも前記推定情報を用いてアイコンデータを取得する制御までは、前記推定情報を保持することを特徴とする。
【００６７】
第五十一の本発明（請求項５１に対応）は、第四十九の本発明の特徴において、前記指示受付手段が受け付けた指示が前記メモリに記憶されている前記推定情報を保持する指示であった場合、前記情報サーバーに接続しコンテンツの所在を示す情報と関連するアイコンデータを取得し、少なくとも前記コンテンツの所在を示す情報を用いて番組関連情報を取得する制御までは、情報サーバー内のコンテンツの所在を示す情報と関連するアイコンデータを保持することを特徴とする。
【００６８】
第五十二の本発明（請求項５２に対応）は、第五十の本発明の特徴において、視聴番組が終了した事を検出する番組終了検出手段を備え、前記制御手段は番組終了後に前記推定情報に該当するアイコンデータを前記情報サーバーから受信するよう制御する制御手段とを備えることを特徴とする。
【００６９】
第五十三の本発明（請求項５３に対応）は、第五十の本発明の特徴において、視聴番組が変わった事を検出する番組変更検出手段を備え、前記制御手段は視聴番組が変わった後に前記推定情報に該当するアイコンデータを前記情報サーバーから受信するよう制御する制御手段とを備えることを特徴とする。
【００７０】
第五十四の本発明（請求項５４に対応）は、第五十一の本発明の特徴において、視聴番組が終了した事を検出する番組終了検出手段を備え、前記制御手段は番組終了後に前記推定情報に該当する番組関連情報を前記情報サーバーから受信するよう制御する制御手段とを備えることを特徴とする。
【００７１】
第五十五の本発明（請求項５５に対応）は、第五十一の本発明の特徴において、視聴番組が変わった事を検出する番組変更検出手段を備え、前記制御手段は視聴番組が変わった後に前記推定情報に該当する番組関連情報を前記情報サーバーから受信するよう制御する制御手段とを備えることを特徴とする。
【００７２】
【発明の実施の形態】
以下では、当該発明にかかる実施の形態について、図面を参照しつつ説明を行う。
【００７３】
（実施の形態１）
以下本発明の第１の実施例を図面を参照しながら説明する。
【００７４】
図１は本発明の第１の実施例の構成を示すものである。
【００７５】
図１において、１３はデジタルテレビジョン放送受信機である。１はチューナーで、アンテナが受信したデジタルテレビジョン放送の選局を行った後復調したトランスポートストリームを出力する。２はトランスポートストリーム（ＴＳ）デコーダーで、チューナー１が出力するトランスポートストリームを入力し、ユーザーが選択した番組のＡＶのストリームやデータ放送関係のパケットをフィルタリングして出力する。そのフィルタリングはＰＡＴパケットやＰＭＴパケット内に記載されているＰＩＤを用いて行われる事はデジタルテレビジョンにおいて周知の技術であるので詳細説明は省略する。
【００７６】
３はＡＶデコーダーでトランスポートストリームデコーダー２が出力するＡＶのストリームを入力し、ＡＶデコードして出力する。１４はバッファーメモリで、トランスポートデコーダー２がフィルタリングしたデータ放送のパケットや後述する情報サーバー１２からの得たデータをマイコン５の制御により展開して記憶する。
【００７７】
５はマイコンで、デジタルテレビジョン放送受信機１３の各要素の制御を行う。動作の詳細は後述する。６はリモコンで、ユーザーインターフェースである。７は受光回路で、リモコン６からの信号を受信し電気信号をマイコン５に出力する。４は番組推定情報ＲＡＭで、後述する情報サーバー１２に送信するユーザーが欲する番組情報を推定するための情報をマイコン５の制御で記憶する。詳細は後述する。
【００７８】
８はＯＳＤコントローラーで、データ放送画面や後述する情報サーバー１２から得た情報をマイコン５の制御により、構成する文字やグラフィクスデータを画素データに変換しＡＶデコーダー３に出力する。ＡＶデコーダー３ではビデオデコードした映像とＯＳＤコントローラ８から入力した文字やグラフィクスを合成して出力する。
【００７９】
１０はモデムで、通信会社の通信回線やサービスプロバイダを介してインターネット網に接続されており、マイコン５の制御で通信回線からのデータを受信して復調しマイコン５に出力したり、送信データを変調して通信回線に出力する。モデム１０においては電話回線を使用するいわゆるモデムのみでなく、電話回線を使用するＡＤＳＬモデムや光ファーバー網を使用するＦＴＴＨのＯＮＵやケーブルテレビ回線を使用するケーブルモデムなどあらゆる通信端末でも良く、接続方式はダイヤルアップ接続のみでなく常時接続の方式でも良い。
【００８０】
本実施例ではそれらの通信回線を介して図示していない視聴情報収集センターと接続し視聴履歴情報を送信する事に加えてインターネット網や図示していないケーブルテレビ網などに位置する情報サーバー１２と接続しデータの送受信を行う。
【００８１】
なお、マイコン５のソフトウェアにより視聴中の番組が終了した事やユーザーの指示で視聴番組を変更した事を検出する事もできる。視聴中の番組が終了した事は、放送される番組表生成用の情報の一つである番組終了時刻を参照する事で検出可能である。
【００８２】
デジタルテレビジョン放送やアナログ文字多重放送においては、番組表生成用の情報を放送する事は一般的である。また、リモコン６を用いたユーザーの指示はマイコン５が全て解釈するため、ユーザーがリモコン６を操作して視聴番組を変更した事も検出可能である。これらの検出は専用ハードウェアを備えて実現する場合も有り得る。
【００８３】
なお、本実施例ではデジタルテレビジョン放送受信機について説明したが、アナログのテレビジョン受信機の場合も同様に可能である。
【００８４】
次に本実施例の動作を図２を用いて説明する。
【００８５】
本実施例は、ユーザーが欲する番組に関連する情報を情報サーバー１２から受信し表示するものである。
【００８６】
ユーザーが番組を視聴している時、マイコン５の制御により視聴している番組を推定する番組推定情報を番組推定情報ＲＡＭ４に記憶する（ＳＴＥＰ１）。番組推定情報については後述する。ユーザーが視聴中に番組の関連情報を欲した場合、番組推定情報を保持するようにリモコン６を操作して指示する（ＳＴＥＰ２）。指示方法はリモコン６に専用キーを用意しても良いし、画面上にメニューを表示させてその中から指示ボタンを選択して決定しても良い。
【００８７】
マイコン５は受光回路７を介して入力した信号から番組推定情報を保持する指示と解釈し、番組推定情報を保持するよう制御する。その制御方法は、マイコン５が管理している図示していないメモリー上の特定領域に割り当てられている番組推定情報を保持するかどうかの情報を書き換えてもよいし、番組推定情報ＲＡＭの上書きを禁止するようなハードウェアを用意してそのハードウェアを制御しても良い。
【００８８】
その後ユーザーのリモコン６を用いた操作で視聴番組が変わった場合（ＳＴＥＰ４）、マイコン５はその操作を前述したように解釈して、ＯＳＤコントローラー８を用いて、番組が変わった事を知らしめる文字を画面上に表示して、ユーザーからの番組に関連する情報を取得する指示を待つ（ＳＴＥＰ５）。
【００８９】
また、視聴していた番組が終了した場合（ＳＴＥＰ６）、マイコン５は終了時刻になった事を認識し、番組が終わった事を知らしめる文字を画面上に表示して、ユーザーからの番組に関連する情報を取得する指示を待つ（ＳＴＥＰ７）。番組が変わったり、終わったりしなかった場合も、ユーザーからの番組に関連する情報を取得する指示を待つ。
【００９０】
その後それぞれの状態で定められているタイムアウトまでに番組に関連する情報を取得するユーザーの指示がユーザーのリモコン６からあった場合（ＳＴＥＰ８）、マイコン５はモデム１０を制御して番組推定情報ＲＡＭに記憶されている番組推定情報と該当する番組に関連する情報を要求するコマンドを情報サーバー１２に送信する（ＳＴＥＰ９）。
【００９１】
番組に関連する情報を要求するコマンドは予め情報サーバー１２との間でフォーマットやデータを取り決めておけば送信可能である。情報サーバー１２は番組に関連する情報を要求するコマンドを解釈し、ユーザーが欲している番組に関連する情報を番組推定情報から推定し、該当する番組に関連する情報をデーターベースより探し出してデジタルテレビジョン放送受信機１３に送信する。
【００９２】
マイコン５は送信された番組に関連する情報をモデム１０を制御して受信しバッファーメモリー１４に展開して記憶する。次にマイコン５はＯＳＤコントローラ８を制御して番組に関連する情報を構成する文字やグラフィクスデータを画素データに変換しＡＶデコーダー３に出力する。ＡＶデコーダー３ではビデオデコードした映像とＯＳＤコントローラ８から入力した番組に関連する情報を合成して出力する（ＳＴＥＰ１０）。
【００９３】
ＳＴＥＰ８でタイムアウトが生じた場合は、マイコン５はＯＳＤコントローラー８を用いて、番組に関連する情報の取得を取り消すかどうかを確認する文字を画面上に表示して、ユーザーからの指示を待つ（ＳＴＥＰ１１）。ユーザーからの指示が取り消す場合には、番組推定情報の保持を解除する。取り消さない場合は番組推定情報の保持を続ける。
【００９４】
なお、番組推定情報の保持動作を簡略化して、ＳＴＥＰ１の次にＳＴＥＰ８に移行する場合も有り得る。その場合は、番組視聴時間内で番組に関連する情報を取得する事になる。また、視聴番組が変わったり、終わったりする事を検出する事を簡略化する場合も有り得る。その場合はユーザーの番組に関連する情報を取得する指示のみを待つ事になる。
【００９５】
次にユーザーの欲している情報を推定するための推定情報の実施例を図面を参照して説明する。ユーザーが番組に関連する情報を欲していて、そのような情報を情報サーバーから得る場合、欲している番組の関連情報を推定できる番組推定情報を情報サーバーに送信する。情報サーバーは番組推定情報からユーザーの欲している情報を推定してデータベースから探し出しユーザーに送信する場合の例を説明する。
【００９６】
図３では、番組を推定させるための情報として放送局名と番組名を用いる場合の例である。
【００９７】
放送局名と番組名より一意的に番組を特定できるので推定情報として有効である。放送局名は情報サーバーでの推定精度の向上と推定作業負荷軽減のための情報である。地上波テレビジョン放送においては、各地域毎に放送局が異なり放送番組も異なる状況であり、全国レベルで見ると番組数も膨大であるため番組名だけでなく放送局名も用いる事は推定作業負荷軽減の効果がある。
【００９８】
また、テレビジョン放送受信機で番組表を生成するための情報として、それらの情報を放送局等から取得する事を活用することで、ユーザーが番組に関連する情報を欲した場合、放送局名と番組名を取得して情報サーバーに送信できる。情報サーバーはそれらの情報からユーザーが欲している番組を推定しその番組に該当する関連情報をデーターベースより検索しユーザーに送信する。
【００９９】
図４では、番組を推定させるための情報として日時とチャンネルと地域を用いる場合の例である。テレビジョン放送受信機によっては、図３の説明で示したような番組表機能を備えておらず、番組表を生成するための情報を取得しないものもある。そのようなテレビジョン放送受信機においても番組を推定できる実施例である。
【０１００】
日時とチャンネルと地域により一意的に番組を特定できるので推定情報としては有効である。また日時とチャンネルのみを使用する場合もあるが、地上波テレビジョン放送においては、各地域毎に放送局が異なりチャンネルも異なる状況であり、各地域においても受信障害などにより受信チャンネルをマニュアルで調整している場合もあるので、日時とチャンネルのみでは全国レベルでは推定の精度は低いという問題がある。
【０１０１】
従って地域を加える事により推定時に地域毎のチャンネル設定のデータベースや受信障害によるチャンネル調整のデーターベースを利用できるようになることで推定の精度を向上する事ができる。日時情報は放送局から送信される日時情報を参照するか図１には図示していない時計を内蔵する事により取得する事ができる。
【０１０２】
チャンネル情報はマイコン５がチューナー１を制御して選局するために必要な情報を活用して取得する事は可能である。地域情報はテレビジョン放送受信機の設置時のチャンネル設定を容易にするために県名や郵便番号や市外局番を設定する事が一般的であるので、それらの情報を活用する事で可能である。
【０１０３】
また、その様なチャンネル設定機能が無い場合にも県名や郵便番号や市外局番をユーザーが設定できるようにする事で実現可能である。それらの情報を説明したように取得する事で、ユーザーが番組に関連する情報を欲した場合、日時情報やチャンネル情報や地域情報を情報サーバーに送信できる。
【０１０４】
情報サーバーはそれらの情報からユーザーが関連情報を欲している番組を推定し、その番組に該当する関連情報をデーターベースより検索しユーザーに送信する。
【０１０５】
図５は図３や図４を用いて説明した番組を推定する方法に加えて更にユーザーの欲している情報を詳細に推定する方法の実施例である。図５では、画面上をいくつかの領域に分割し、それぞれの領域に異なる番組に関連する情報を関連付ける。
【０１０６】
ユーザーはリモコン５を操作して欲する情報を画面上の領域を選択する事で選択する。領域と番組に関連する情報の関連付けは、実際に画面上にそれぞれの領域が何の情報と関連付けられているかを表示する事で可能である。
【０１０７】
図５ではＦの領域に番組で紹介した料理の情報という表示で関連付けられている例である。画面上の領域の選択は図５のように画面上にマイコン５がＯＳＤコントローラ８を制御してカーソルを表示させ、リモコン６の操作キーを用いてカーソルを移動する事で可能である。
【０１０８】
またこの選択画面は放送局により送られチューナー１が受信する場合も有り、情報サーバーから送られモデム１０が受信する場合も有る。図２を用いた動作の説明には触れなかったが、図２におけるＳＴＥＰ３でこの選択画面を表示し、ユーザーが選択した情報を番組推定情報の一部として保持する場合やＳＴＥＰ８やＳＴＥＰ９やＳＴＥＰ１０で選択画面を表示し、ユーザーが選択した情報を番組推定情報の一部として送信する場合がある。
【０１０９】
また情報と画面上の領域の関連付けは、それぞれの領域と関連する情報をパンフレットなどの書面を用いて、前もってユーザーに関連付けを示す場合も有る。以上のようにそれらの選択画面やユーザーが選択した結果を取得する事ができるので、ユーザーが番組に関連する情報を欲した場合、番組を推定する情報とともにユーザーの選択情報を加え更に詳細な推定する情報を情報サーバーに送信できる。
【０１１０】
情報サーバーはそれらの情報からユーザーが関連情報を欲している番組や情報を推定しその番組に該当する関連情報をデーターベースより検索しユーザーに送信する。
【０１１１】
図６は図３や図４を用いて説明した番組を推定する方法と合わせて更にユーザーの欲している情報を詳細に推定する方法の実施例である。図６では画面上にリモコン５のキーと番組に関連する情報を関連付ける方法の例である。ユーザーはリモコン６のキーを選択する事で欲している関連情報を選択する。図６ではカラーキーを用いた例であり、青キーと番組で紹介した料理の情報が関連付けられている。ユーザーは画面を見てリモコン６の青キーを押す事で選択可能である。
【０１１２】
選択画面の取得方法や選択した情報の取り扱いは図５を用いた説明と同様であるので説明を省略する。それらの選択画面やユーザーが選択した結果を説明したように取得する事ができるので、ユーザーが番組に関連する情報を欲した場合、番組を推定する情報とともにユーザーの選択情報を加え更に詳細な推定する情報を情報サーバーに送信できる。
【０１１３】
情報サーバーはそれらの情報からユーザーが関連情報を欲している番組や情報を推定しその番組に該当する関連情報をデーターベースより検索しユーザーに送信する。
【０１１４】
ユーザーの欲している情報として番組に関連する情報について説明したが、それ以外の場合も有り得る。例えば広告や商品に関連する情報についても同様に有りうる。
【０１１５】
次に情報サーバーから取得した情報を表示する場合の実施例を図７を用いて説明する。
【０１１６】
図７では画面上にユーザーが視聴している番組が表示されており、その右上に情報サーバーから受信した番組に関連する情報を重ねあわせて表示している。ユーザーが欲している情報は番組で紹介した料理についての情報であり、取得した情報は料理名やレストラン名や連絡先である。
【０１１７】
情報サーバから受信した情報は、図２を用いて説明したように現在視聴中の番組の最中でも終了後であっても良い。また、表示方法は図示していないが視聴番組と情報サーバーからの情報を画面を分割して表示する場合も有り、また情報サーバーからの情報を全画面で表示する場合も有る。
【０１１８】
以上のように本実施例のテレビジョン放送受信機は、通信回線を介して情報サーバーに接続し、ユーザーの欲する情報を推定できる情報を情報サーバーに送信することで、情報サーバーはユーザーの欲する情報を推定しユーザーに送信できるため、放送局が制作し放送するデータ放送の情報のみしか得る事ができず、情報の内容も放送局毎に異なる状況においては、ユーザーの欲する特定の情報を全ての放送局において常に得ることができないという問題や放送局とは異なる事業者が、各放送局が放送する全ての番組の関連情報を提供する情報サーバーを立ち上げたとしても、そのような情報サーバーからユーザーの欲する番組に関連する情報を得る事ができないという問題を解決できる。
【０１１９】
また、番組推定情報を保持するとともに番組終了や番組が変わった事を検出した後、番組に関連する情報を取得するように制御できる事により、ユーザーが番組に関連する情報を番組視聴終了後に見たいという要求に対しては、一般の従来のテレビジョン放送受信機では現在放送されているデータ放送しか表示できないという問題を解決できる。
【０１２０】
（実施の形態２）
以下本発明の第２の実施例を図面を参照しながら説明する。
【０１２１】
図１０は本発明の第２の実施例の構成を示すものである。
【０１２２】
図１０において、５３はデジタルテレビジョン放送受信機である。４１はチューナーで、アンテナが受信したデジタルテレビジョン放送の選局を行った後復調したトランスポートストリームを出力する。４２はトランスポートストリーム（ＴＳ）デコーダーで、チューナー４１が出力するトランスポートストリームを入力し、ユーザーが選択した番組のＡＶのストリームやデータ放送関係のパケットをフィルタリングして出力する。そのフィルタリングはＰＡＴパケットやＰＭＴパケット内に記載されているＰＩＤを用いて行われる事はデジタルテレビジョンにおいて周知の技術であるので詳細説明は省略する。
【０１２３】
４３はＡＶデコーダーでトランスポートストリームデコーダー４２が出力するＡＶのストリームを入力し、ＡＶデコードして出力する。５４はバッファーメモリで、トランスポートデコーダー４２がフィルタリングしたデータ放送のパケットや後述する情報サーバー５２からの得たデータをマイコン４５の制御により展開して記憶する。
【０１２４】
５５は番組情報取得回路でＥＰＧ生成用の番組情報をトランスポートデコーダ４２の出力するパケットを解析して取得する。ここでいう番組情報とは番組名や番組開始時間、終了時間の情報などを含む。
【０１２５】
解析方法などの番組情報取得方法については、デジタルテレビで一般的なＳＩ（Ｓｅｒｖｉｃｅ　Ｉｎｆｏｍａｔｉｏｎ）情報取得方法によるので説明は省略する。４５はマイコンで、デジタルテレビジョン放送受信機５３の各要素の制御を行う。動作の詳細は後述する。
【０１２６】
４６はリモコンで、ユーザーインターフェースである。４７は受光回路で、リモコン４６からの信号を受信し電気信号をマイコン４５に出力する。４４は番組推定情報ＲＡＭで、後述する情報サーバー５２に送信するユーザーが欲する番組情報を推定するための情報をマイコン４５の制御で記憶する。番組情報を推定するための情報を複数記憶することもできる。詳細は後述する。
【０１２７】
５６は日時ＲＡＭでユーザーがリモコン４６を用いて欲する情報に対してマーキングした日時をマイコン４５の制御で記憶する。日時を複数記憶する事もできる。４８はＯＳＤコントローラーで、データ放送画面や後述する情報サーバー５２から得た情報をマイコン４５の制御により、構成する文字やグラフィクスデータを画素データに変換しＡＶデコーダー４３に出力する。
【０１２８】
ＡＶデコーダー４３ではビデオデコードした映像とＯＳＤコントローラ４８から入力した文字やグラフィクスを合成して出力する。５０はモデムで、通信会社の通信回線やサービスプロバイダを介してインターネット網に接続されており、マイコン４５の制御で通信回線からのデータを受信して復調しマイコン４５に出力したり、送信データを変調して通信回線に出力する。
【０１２９】
モデム５０においては電話回線を使用するいわゆるモデムのみでなく、電話回線を使用するＡＤＳＬモデムや光ファーバー網を使用するＦＴＴＨのＯＮＵやケーブルテレビ回線を使用するケーブルモデムなどあらゆる通信端末でも良く、接続方式はダイヤルアップ接続のみでなくＴＣＰ／ＩＰ接続等の常時接続の方式でも良い。
【０１３０】
本実施例ではそれらの通信回線を介して図示していない視聴情報収集センターと接続し視聴履歴情報を送信する事に加えてインターネット網や図示していないケーブルテレビ網などに位置する情報サーバー５２と接続しデータの送受信を行う。
【０１３１】
なお、マイコン４５のソフトウェアにより視聴中の番組が終了した事やユーザーの指示で視聴番組を変更した事を検出する事もできる。視聴中の番組が終了した事は、前述した放送される番組表生成用のＳＩ情報の一つである番組終了時刻を参照する事で検出可能である。デジタルテレビジョン放送やアナログ文字多重放送においては、番組表生成用の情報を放送する事は一般的であり番組表を表示するテレビジョン受信機は周知の技術で実現できる。
【０１３２】
また、リモコン４６を用いたユーザーの指示はマイコン４５が全て解釈するため、ユーザーがリモコン４６を操作して視聴番組を変更した事も検出可能である。これらの検出は専用ハードウェアを備えて実現する場合も有り得る。なお、本実施例ではデジタルテレビジョン放送受信機について説明したが、アナログのテレビジョン受信機の場合も同様に可能である。
【０１３３】
次に本実施例の動作を図１１を用いて説明する。
【０１３４】
本実施例は、ユーザーが欲する番組に関連する情報を情報サーバー５２から受信し表示するものである。
【０１３５】
ユーザーが番組を視聴している時、ユーザーが視聴中に関連情報を欲した場合、リモコン４６を用いてマーキング制御を行う。マーキング制御とはユーザーが関連情報を欲した日時を日時ＲＡＭ５６に記憶し、視聴している番組を推定する番組推定情報として番組情報取得回路５５が取得したＳＩ情報から番組名を番組推定情報ＲＡＭ４４に記憶する制御である。マイコン４５は現在日時を日時ＲＡＭ５６に記憶するとともに番組名を番組推定情報ＲＡＭ４４に記憶するよう制御する（ＳＴＥＰ３２）。
【０１３６】
指示方法はリモコン４６に専用キーを用意しても良いし、画面上にメニューを表示させてその中から指示ボタンを選択して決定しても良い。そのボタンを押した日時をマイコン４５が認識する事で実現できる。マイコン４５は受光回路４７を介して入力した信号からマーキングする指示と解釈し、現在日時を日時ＲＡＭ５６に記憶するとともに番組名を記憶するよう制御する。
【０１３７】
その後ユーザーのリモコン４６を用いた操作で視聴番組が変わった場合（ＳＴＥＰ３４）、マイコン４５はその操作を前述したように解釈して、ＯＳＤコントローラー４８を用いて、番組が変わった事を知らしめる文字を画面上に表示して、ユーザーからの番組に関連する情報を取得する指示を待つ（ＳＴＥＰ３５）。
【０１３８】
また、視聴していた番組が終了した場合（ＳＴＥＰ３６）、マイコン４５は終了時刻になった事を認識し、番組が終わった事を知らしめる文字を画面上に表示して、ユーザーからの番組に関連する情報を取得する指示を待つ（ＳＴＥＰ３７）。番組が変わったり、終わったりしなかった場合も、ユーザーからの番組に関連する情報を取得する指示を待つ。
【０１３９】
その後それぞれの状態で定められているタイムアウトまでに番組に関連する情報を取得するユーザーの指示がユーザーのリモコン４６からあった場合（ＳＴＥＰ３８）、マイコン４５はモデム５０を制御して番組推定情報ＲＡＭ４４に記憶されている番組名と番組に関連する情報を要求するコマンドを情報サーバー５２に送信する（ＳＴＥＰ３９）。
【０１４０】
番組に関連する情報を要求するコマンドは予め情報サーバー５２との間でフォーマットやデータを取り決めておけば送信可能である。情報サーバー５２は番組に関連する情報を要求するコマンドを解釈し、ユーザーが欲している番組に関連する情報を番組名から検索し、該当する番組に関連する情報と日時情報をデーターベースより探し出して全てデジタルテレビジョン放送受信機５３に送信する。
【０１４１】
マイコン４５は送信された番組に関連する情報と日時情報とをモデム５０を制御して受信しバッファーメモリー５４に展開して記憶する（ＳＴＥＰ４０）。次にマイコン４５はバッファーメモリー５４に記憶されている受信した日時情報と日時ＲＡＭ５６に記憶されている日時とを比較し日時が最も近い日時情報を検索する。最も近い日時情報に対応する番組に関連する情報をユーザーがマーキングした欲する情報と判断する。
【０１４２】
ＯＳＤコントローラ４８を制御してユーザーがマーキングした欲する情報と判断した番組に関連する情報を読み出して構成する文字やグラフィクスデータを画素データに変換しＡＶデコーダー４３に出力する。ＡＶデコーダー４３ではビデオデコードした映像とＯＳＤコントローラ４８から入力した番組に関連する情報を合成して出力する（ＳＴＥＰ４２）。
【０１４３】
ＳＴＥＰ３８でタイムアウトが生じた場合は、マイコン４５はＯＳＤコントローラー３８を用いて、番組に関連する情報の取得を取り消すかどうかを確認する文字を画面上に表示して、ユーザーからの指示を待つ（ＳＴＥＰ４１）。
【０１４４】
ユーザーからの指示が取り消す場合には、番組名の保持を解除して消去する。取り消さない場合は番組名の保持を続ける。保持されている番組名を手がかりにユーザーが過去に所望した番組に関連する情報を取得する場合や保持されている番組名を後で消去する場合に、マイコン４５の制御により番組推定情報ＲＡＭ４４に記憶されている全ての番組名を読み出してＯＳＤコントローラ４８を用いて一覧表表示して、リモコン４６を操作して番組に関連する情報を取得するためや番組名を消去するために番組名を選択する事とが考えられる。
【０１４５】
図１７に一覧表表示の例を示した。図１７においてはマーキングした日時が新しい順番で４つの番組名が一覧表示されている。ユーザーは番組に関連する情報を取得したい時にこのような一覧を表示させリモコン４６の操作により番組名を選択することによりＳＴＥＰ３９以降の処理を実行することができる。また、単にマーキング時間のみを一覧表示する場合に加えて番組名を表示させる事により、ユーザーが一覧表を見てマーキングした番組を一見して簡単に認識可能である。
【０１４６】
プロ野球ＡＢ戦で２つ表示されているのは同じ番組中に２回マーキングされた事を意味している。
【０１４７】
なお、ＳＴＥＰ３４、ＳＴＥＰ３５、ＳＴＥＰ３６、ＳＴＥＰ３７を簡略化して視聴番組が変わったり、終わったりする事を検出する事を簡略化する場合も有り得る。その場合はユーザーの番組に関連する情報を取得する指示のみを待つ事になる。また、ＳＴＥＰ４２でマイコン４５はバッファーメモリー５４に記憶されている受信した日時情報と日時ＲＡＭ５６に記憶されている日時とを比較し、受信した番組に関連する情報の一覧を日時が近い順番に表示してユーザーに選択させても良いし、日時ＲＡＭにマーキングした日時を記憶する事を省略してＳＴＥＰ４２で取得した番組に関連する情報の一覧を単に表示してユーザーに選択させる場合も有り得る。
【０１４８】
また、受信する番組に関連する情報は番組に関連する情報の所在地を示すＵＲＬを含んである場合もあり、その場合は、ＳＴＥＰ４２で最も近い日時情報に対応する番組に関連する情報に含まれるＵＲＬにアクセスし、所在する番組に関連する情報を取得してユーザーが欲する情報として表示しても良い。
【０１４９】
ここで情報サーバーについても説明する。情報サーバーは複数の放送局における番組に関連する情報の提供を統一的に行っても良く、放送局毎あるいは番組毎に分散していても良い。番組名から番組に関連する情報は検索できる。本実施例の情報サーバー５２は番組名と番組関連情報のＵＲＬとの対応を備える事で番組に関連する情報へのアクセスを仲介する事ができる。
【０１５０】
また番組関連情報や番組関連情報のＵＲＬの一部に日時情報を埋め込んだ状態で管理するあるいは番組関連情報や番組関連情報のＵＲＬと関連付けて管理することで、番組に関連する情報へのアクセスに対して日時情報を付加して返送する事ができる。また、情報サーバー５２はＣＧＩ（Ｃｏｍｍｏｎ　ＧａｔｅｗａｙＩｎｔｅｒｆａｃｅ）のような機能を備えることで、第二の情報サーバーと連携動作も可能である。
【０１５１】
次にユーザーの欲している情報を推定するための推定情報と日時ＲＡＭに記憶する日時情報の実施例を図面を参照して説明する。ユーザーが番組に関連する情報を欲していて、そのような情報を情報サーバーから得る場合、欲している番組の関連情報を推定できる番組推定情報を情報サーバーに送信する。情報サーバーは番組推定情報からユーザーの欲している情報を検索してデータベースから探し出し関連付けられた時間情報とともにユーザーに送信する場合の例を説明する。
【０１５２】
図１２では、番組を推定させるための情報として番組名を用いる場合の例である。図１２ではユーザーがマーキング操作をした時番組推定情報ＲＡＭ４４に今日の料理という番組名と日時ＲＡＭ５６にマーキング時間として２００１年１月１５日２０時１５分を意味する２００１０１１５２０１５というデータが記憶されている例である。
【０１５３】
テレビジョン放送受信機で番組表を生成するための情報として、番組名を放送局等から取得する事ができるので活用可能である。日時情報は放送局から送信される日時情報を参照するか図１０には図示していない時計を内蔵する事により取得する事ができる。それらの情報を説明したように取得し活用する事ができるので、ユーザーが番組に関連する情報を欲した時、日時情報を日時ＲＡＭ５６に記憶するとともに番組名を情報サーバーに送信できる。情報サーバーは番組名からユーザーが関連情報を欲している番組を検索し、その番組に該当する関連情報をデーターベースより検索し関連付けられている日時情報とともにユーザーに送信する。
【０１５４】
図１３は図１１や図１２を用いて説明した番組を推定する方法に加えて更にユーザーの欲している情報を詳細に推定する方法の実施例である。図１３では、画面上をいくつかの領域に分割し、それぞれの領域に異なる番組に関連する情報を関連付ける。ユーザーはリモコン４５を操作して欲する情報を画面上の領域を選択する事で選択する。
【０１５５】
領域と番組に関連する情報の関連付けは、実際に画面上にそれぞれの領域が何の情報と関連付けられているかを表示する事で可能である。図１３ではＦの領域に番組で紹介したＵＲＬの情報という表示で関連付けられている例である。画面上の領域の選択は図１３のように画面上にマイコン４５がＯＳＤコントローラ４８を制御してカーソルを表示させ、リモコン４６の操作キーを用いてカーソルを移動する事で可能である。
【０１５６】
またこの選択画面は放送局により送られチューナー４１が受信する場合も有り、情報サーバーから送られモデム５０が受信する場合も有る。図１１を用いた動作の説明には触れなかったが、図１１におけるＳＴＥＰ３３でこの選択画面を表示し、ユーザーが選択した情報を番組推定情報の一部として保持する場合やＳＴＥＰ３８やＳＴＥＰ３９やＳＴＥＰ４０で選択画面を表示し、ユーザーが選択した情報を番組推定情報の一部として送信する場合がある。
【０１５７】
また情報と画面上の領域の関連付けは、それぞれの領域と関連する情報をパンフレットなどの書面を用いて、前もってユーザーに関連付けを示す場合も有る。以上のようにそれらの選択画面やユーザーが選択した結果を取得する事ができるので、ユーザーが番組に関連する情報を欲した場合、番組を推定する番組名とともに更に詳細な内容を推定する情報を情報サーバーに送信できる。情報サーバーはそれらの情報からユーザーが関連情報を欲している番組や情報を推定しその番組に該当する関連情報をデーターベースより検索しユーザーに送信する。または番組を推定する番組名を情報サーバーに送信しその他の詳細な内容を推定する情報を用いて情報サーバーから受信した番組に関連する情報を更にテレビジョン受信機内で選択する事ができる。
【０１５８】
図１４は図１１や図１２を用いて説明した番組を推定する方法と合わせて更にユーザーの欲している情報を詳細に推定する方法の実施例である。図１４では画面上にリモコン４６のキーと番組に関連する情報を関連付ける方法の例である。ユーザーはリモコン４６のキーを選択する事で欲している関連情報を選択する。図１４ではカラーキーを用いた例であり、青キーと番組で紹介したＵＲＬの情報が関連付けられている。ユーザーは画面を見てリモコン４６の青キーを押す事で選択可能である。
【０１５９】
選択画面の取得方法や選択した情報の取り扱いは図１３を用いた説明と同様であるので説明を省略する。それらの選択画面やユーザーが選択した結果を説明したように取得する事ができるので、ユーザーが番組に関連する情報を欲した場合、番組を推定する番組名とともに更に詳細な内容を推定する情報を情報サーバーに送信できる。情報サーバーはそれらの情報からユーザーが関連情報を欲している番組や情報を推定しその番組に該当する関連情報をデーターベースより検索しユーザーに送信する。または番組を推定する番組名を情報サーバーに送信しその他の詳細な内容を推定する情報を用いて情報サーバーから受信した番組に関連する情報を更にテレビジョン受信機内で選択する事ができる。
【０１６０】
ユーザーの欲している情報として番組に関連する情報について説明したが、それ以外の場合も有り得る。例えば広告や商品に関連する情報についても同様に有りうる。
【０１６１】
次に情報サーバーから取得した情報を表示する場合の実施例を図１５と図１６を用いて説明する。
【０１６２】
図１５では情報サーバーより取得した番組に関連する情報と関連付けられている日時情報の例を示した物である。ここで言う番組に関連する情報の例は番組で紹介されたＵＲＬである。ＵＲＬと日時情報の関連付けの意味は番組内でＵＲＬが紹介された時刻を関連付ける場合がある。図１５では情報サーバーは番組に関連する情報を推定する情報として番組名を受信した後、番組名を元にデーターベースを検索し３つの番組に関連する情報を該当する情報として関連付けられている日時情報とともに送信している例である。
【０１６３】
その中の一つを上げて説明するとｈｔｔｐ：ｗｗｗ．ａｂｃｄｅｆｇ．ｃｏ．ｊｐという番組に関連する情報と２００１０１１５２００５という日時情報が関連付けられて送信されている。この日時情報は２００１年１月１５日２０時５分を意味している。
【０１６４】
情報サーバーは番組名と番組中に紹介されたＵＲＬと紹介された日時の情報をデータベースとして関連付けて蓄積しており、ＵＲＬ情報と日時情報は番組名を元に検索可能である。なお、番組に関連する情報はＵＲＬ情報のみではなくＴＶショッピングにおける商品購入手続きに関する情報やクイズ番組の懸賞応募手続きに関する情報や料理番組のレシピなども考えられそれぞれ番組名と番組中に案内された日時と関連付けられてデータベースに蓄積されている場合があり、情報サーバーは番組名でそれらの情報も検索する事ができる。
【０１６５】
なお、番組に関連する情報を推定する情報として番組名のみを送信した場合だけでなく図１３や図１４を用いて説明したようなあらかじめ取り決められた情報と番組名を送信した場合においてもこのような番組に関連する情報と関連付けられている日時情報が情報サーバーから受信することができる。
【０１６６】
番組に関連する情報と日時情報の関連付けの例としては、番組に関連する情報の一部に注釈宣言された記述として埋め込むことができる。番組に関連する情報がＨＴＭＬ文章である場合、例えば番組に関連する情報の一部に＜！――ｔｉｍｅ＝２００１０１１５２００５――＞というような注釈を埋め込む事ができる。
【０１６７】
また番組に関連する情報の所在地においても所在地情報の一部に日時情報を埋め込むことができる。所在地情報がＵＲＬである場合、例えばＵＲＬの一部に２００１０１１５２００５を埋め込んだ場合ｈｔｔｐ：ｗｗｗ．ｇａｍｅｎｚｙｏｕｈｏｕ．ｃｏ．ｊｐ／ｅｔｃ／２００１０１１５２００５／のような関連付けができる。本発明のテレビジョン受信機ではこのような日時情報を読み取り利用する事ができる。
【０１６８】
図１６では情報サーバーから受信した図１５で説明したＵＲＬと関連付けられている日時情報を受信した後の表示例を示している。マイコン４５は日時ＲＡＭに記憶されている２００１０１１５２０１５が意味する日時と情報サーバーから受信した３つの日時情報が意味する日時を比較した結果、日時が近い順番を認識し関連付けられたＵＲＬをその順番で上から表示している。
【０１６９】
最も日時が近い一番上のＵＲＬを特に大文字で強調してマーキングした所望する情報に最も可能性が高い情報と提示している。ここでは最も日時が近い日時情報でも１分の相違があるが、これは情報サーバーとデジタル放送受信機の時刻が若干ずれている場合に発生する誤差を想定しているので全く相違が無い場合も当然あり得る。
【０１７０】
また、このようにＵＲＬが番組に関連する情報に含まれている場合、図１６のように取得した番組に関連する情報や含まれるＵＲＬを一覧表示せずに、最も日時が近い番組に関連する情報に含まれるＵＲＬにアクセスし所在する情報を改めて取得しその情報のみを表示する場合もある。
【０１７１】
情報サーバから受信した情報は、図１１を用いて説明したように現在視聴中の番組の最中でも終了後であっても良い。また、表示方法は図示していないが視聴番組と情報サーバーからの情報を画面を分割して表示する場合も有る。
【０１７２】
以上のように本実施例のテレビジョン放送受信機は、通信回線を介して情報サーバーに接続し、ユーザーの欲する情報を推定できる情報を情報サーバーに送信することで、情報サーバーはユーザーの欲する情報を推定しユーザーに送信できるため、放送局が制作し放送するデータ放送の情報のみしか得る事ができず、情報の内容も放送局毎に異なる状況においては、ユーザーの欲する特定の情報を全ての放送局において常に得ることができないという問題や放送局とは異なる事業者が、各放送局が放送する全ての番組の関連情報を提供する情報サーバーを立ち上げたとしても、そのような情報サーバーからユーザーの欲する番組に関連する情報を得る事ができないという問題を解決できる。
【０１７３】
また、番組推定情報を保持するとともに番組終了や番組が変わった事を検出した後、番組に関連する情報を取得するように制御できる事により、ユーザーが番組に関連する情報を番組視聴終了後に見たいという要求に対しては、一般の従来のテレビジョン放送受信機では現在放送されているデータ放送しか表示できないという問題を解決できる。
【０１７４】
（実施の形態３）
以下本発明の第３の実施例を図面を参照しながら説明する。
【０１７５】
図１８は本発明の第３の実施例の構成を示すものである。
【０１７６】
図１８において、７３はデジタルテレビジョン放送受信機である。６１はチューナーで、アンテナが受信したデジタルテレビジョン放送の選局を行った後復調したトランスポートストリームを出力する。６２はトランスポートストリーム（ＴＳ）デコーダーで、チューナー６１が出力するトランスポートストリームを入力し、ユーザーが選択した番組のＡＶのストリームやデータ放送関係のパケットをフィルタリングして出力する。そのフィルタリングはＰＡＴパケットやＰＭＴパケット内に記載されているＰＩＤを用いて行われる事はデジタルテレビジョンにおいて周知の技術であるので詳細説明は省略する。
【０１７７】
６３はＡＶデコーダーでトランスポートストリームデコーダー６２が出力するＡＶのストリームを入力し、ＡＶデコードして出力する。７４はバッファーメモリで、トランスポートデコーダー６２がフィルタリングしたデータ放送のパケットや後述する情報サーバー７２からの得たデータをマイコン６５の制御により展開して記憶する。
【０１７８】
７５は番組表情報取得回路でＥＰＧ生成用の番組情報をトランスポートデコーダ６２の出力するパケットを解析して取得する。ここでいう番組表情報とは番組名やジャンル情報や出演者情報や番組に関連するキーワード情報や番組開始時間、終了時間の情報などを含む。
【０１７９】
解析方法などの番組情報取得方法については、デジタルテレビで一般的なＳＩ（Ｓｅｒｖｉｃｅ　Ｉｎｆｏｍａｔｉｏｎ）情報取得方法によるので説明は省略する。７６は番組表情報ＲＡＭで、取得した番組表情報を蓄積するためのメモリである。６５はマイコンで、デジタルテレビジョン放送受信機７３の各要素の制御を行う。動作の詳細は後述する。
【０１８０】
６６はリモコンで、ユーザーインターフェースである。６７は受光回路で、リモコン６６からの信号を受信し電気信号をマイコン６５に出力する。６４は番組推定情報ＲＡＭで、後述する情報サーバー７２に送信するユーザーが欲するパーソナライズされた私的番組表情報を推定するための情報をマイコン６５の制御で記憶する。私的番組表情報を推定するための情報は複数記憶することもできる。詳細は後述する。
【０１８１】
６８はＯＳＤコントローラーで、データ放送画面や後述する情報サーバー７２から得た情報をマイコン６５の制御により、構成する文字やグラフィクスデータを画素データに変換しＡＶデコーダー６３に出力する。ＡＶデコーダー６３ではビデオデコードした映像とＯＳＤコントローラ６８から入力した文字やグラフィクスを合成して出力する。
【０１８２】
７７は嗜好情報取得回路で、後述するユーザーの嗜好情報を取得しマイコン６５に出力する。この嗜好情報は前述した推定情報として番組推定情報ＲＡＭ６４に記憶される。嗜好情報の取得方法としてはユーザーが視聴している番組の番組表情報の統計を取ることで、ユーザーの嗜好を推定しその結果を嗜好情報として取得する方法や、キーワードを画面上に表示させてリモコン６６を用いたユーザーの選択を元に取得する事も可能である。嗜好情報取得回路７７はマイコン６５を用いたソフトウェアプログラムで実現する場合もある。
【０１８３】
７０はモデムで、通信会社の通信回線やサービスプロバイダを介してインターネット網に接続されており、マイコン６５の制御で通信回線からのデータを受信して復調しマイコン６５に出力したり、送信データを変調して通信回線に出力する。モデム７０においては電話回線を使用するいわゆるモデムのみでなく、電話回線を使用するＡＤＳＬモデムや光ファーバー網を使用するＦＴＴＨのＯＮＵやケーブルテレビ回線を使用するケーブルモデムなどあらゆる通信端末でも良く、接続方式はダイヤルアップ接続のみでなくＴＣＰ／ＩＰ接続等の常時接続の方式でも良い。
【０１８４】
本実施例ではそれらの通信回線を介して図示していない視聴情報収集センターと接続し視聴履歴情報を送信する事に加えてインターネット網や図示していないケーブルテレビ網などに位置する情報サーバー７２と接続しデータの送受信を行う。
【０１８５】
なお、本実施例ではデジタルテレビジョン放送受信機について説明したが、アナログのテレビジョン受信機の場合も同様に可能である。
【０１８６】
次に本実施例の動作を図１９を用いて説明する。
【０１８７】
本実施例は、ユーザーが欲するパーソナライズされた私的番組表情報を情報サーバー７２から受信した番組表情報と放送局が放送する番組表情報を利用して生成し表示するものである。
【０１８８】
ユーザーは私的番組表の表示を希望する場合は嗜好する番組を推定するための嗜好情報を登録する。ここで言う嗜好情報とは、例えば好きな俳優名、好きな食べ物名、趣味に関連するキーワードなどが考えられる。ユーザーがリモコン６６を用いて嗜好情報を登録する指示をした場合（ＳＴＥＰ５１）、マイコン６５は嗜好情報を登録するためのＯＳＤをＯＳＤコントローラ６８を制御して表示する（ＳＴＥＰ５２）。
【０１８９】
その場合、嗜好情報取得回路７７を用いて予め用意したキーワード一覧を表示してユーザーに選択させるように表示しても良いし、ユーザーにキーワードを入力させる様に表示しても良い。ユーザーはそのＯＳＤに応じて自身の嗜好情報をリモコン６６を用いて登録する操作を行う（ＳＴＥＰ５３）。
【０１９０】
マイコン６５は登録操作されたユーザーの嗜好情報を番組推定情報ＲＡＭ６４に記憶する（ＳＴＥＰ５４）。記憶する嗜好情報は複数種類であっても良い。その後私的番組表を表示するユーザーの指示がリモコン６６からあった場合（ＳＴＥＰ５５）、マイコン６５はモデム７０を制御して番組推定情報ＲＡＭ６４に記憶されているユーザーの嗜好情報とユーザーの私的番組表情報を要求するコマンドを情報サーバー７２に送信する（ＳＴＥＰ５６）。
【０１９１】
私的番組表を要求するコマンドは予め情報サーバー７２との間でフォーマットやデータを取り決めておけば送信可能である。情報サーバー７２は私的番組表を要求するコマンドを解釈し、ユーザーの嗜好に合った番組の番組表情報を受信した嗜好情報を使用して検索し、該当する番組表情報をデーターベースより探し出してデジタルテレビジョン放送受信機７３に送信する。
【０１９２】
情報サーバー７２はデータベースに蓄積している番組名、開始時間、終了時間、概要、視聴料金、配信サーバーのアドレス等の番組表情報と嗜好情報を示すキーワードとを関連付けて管理しており、受信した嗜好情報を元に該当する番組表情報を検索することができる。あるいは番組表情報の内容を嗜好情報で検索する場合もありうる。なお、この実施例では情報サーバー７２が管理しているのはインターネット上に存在する番組配信サーバーの番組について示しているが、テレビジョン放送含めた複数のメディアの番組情報を管理しても良い。
【０１９３】
次にマイコン６５は送信された番組表情報をモデム７０を制御して受信しバッファーメモリー７４に展開して記憶する（ＳＴＥＰ５７）。次にマイコン６５は番組表情報取得回路７５が受信し番組表情報ＲＡＭ７６に蓄積されているテレビジョン放送番組の番組表情報から嗜好情報に関連する番組を検索しそれらの番組表情報を取得しバッファーメモリー７４に展開して記憶する（ＳＴＥＰ５８）。
【０１９４】
嗜好情報に関連する番組の検索は嗜好情報と放送局から送信された番組表情報に含まれる情報例えばジャンル情報や出演者情報やキーワード情報などとの一致があった番組を探すことで可能である。
【０１９５】
次にマイコン６５はＳＴＥＰ５７とＳＴＥＰ５８で取得してバッファーメモリー上に展開されているそれぞれの番組表情報を租借し、私的番組表としてユーザーにわかりやすい一覧になるように編集しその結果をＯＳＤコントローラ６８を制御して表示する。
【０１９６】
マイコン６５が私的番組表を生成するのにあたりメディア毎に番組表情報の内容が異なるためにわかりやすい一覧にできないとの問題が予想されるが、私的番組表を生成する上で必要最小限の情報について放送局が送信する番組表情報と情報サーバーが送信する番組表情報が含んでいるように予め双方の番組表情報の内容を決めておくことにより回避できるし、予め決めておくことができない場合でも、表示する番組表情報に対し不足する項目については表示しないという方法もある。
【０１９７】
次に図２０を用いて私的番組表の一例を説明する。図２０では田中というユーザーの私的番組表を表示した画面を示している。この例では、ユーザーはハワイ、坂本竜馬、ラーメン、小林一郎という４つの嗜好情報を登録している。また放送局の番組であるオアフ旅行記、料理辞典そしてインターネット上の配信サーバーの番組であるパールハーバー、ドラマ海援隊、東京コンサートが嗜好情報により検索され取得されており一覧表として編集されている。
【０１９８】
また、種別とはライブあるいはＶＯＤ（Ｖｉｄｅｏ　Ｏｎ　Ｄｅｍａｎｄ）あるいはＰＰＶ（Ｐａｙ　Ｐｅｒ　Ｖｉｅｗ）かどうかという表示であり、時間とは種別がライブかＰＰＶであれば放送される日時をＶＯＤであれば番組時間を表している。これは表示文字をより大きく表示するために一覧の桁数を減らす効果がある。
【０１９９】
マイコン６５は図２０に表示した情報と同時に各番組の配信サーバーのアドレス情報等アクセス先情報も取得しているためユーザーはこの番組表を見ながらリモコン６６を用いて見たい番組を選択することで、マイコン６５はチューナー６１を制御して選局させることやモデム７０を制御して配信サーバーに接続して番組を受信させるよう指示することができる。
【０２００】
また、同様に選択し視聴予約や録画予約も指示することも可能である。次に図２０で示した番組の番組表情報の一例を図２１に示した。図２１においてはそれぞれの番組における番組表情報を示している。例えばオアフ旅行記であれば少なくとも番組名、ジャンル、出演者、キーワード、チャンネル、放送日時の番組表情報が放送局であるＮＫＫより送信されている。この場合種別や視聴料金や番組時間の情報は放送されていない。
【０２０１】
現在放送されている多くの番組はライブであり無料であるために特にこれらの情報が無い場合はライブであり無料であるという取り決めている例である。また、パールハーバーであれば情報サーバー７２のデータベース上に少なくとも番組名、ジャンル、出演者、キーワード、種別、チャンネル、番組時間、視聴料金の番組表情報が蓄積されている。パールハーバーのようにＶＯＤの場合は任意の時間で見れるために放送日時は無しとなっている。
【０２０２】
また放送日時においてはオアフ旅行記であれば０１０１０９０００１０１１０００となっているがこれは０１月０１日０９：００が開始で０１月０１日１０：００が終了という意味である。ここでは月から分までの精度の情報であるが年から秒精度の情報であっても良い。
【０２０３】
また、番組時間では分単位の制度になっているが秒単位でも良い。また放送開始時間と放送終了時間が含まれていれば、マイコン６５にて算出できるため簡略化される場合もありうる。
【０２０４】
また、キーワードとは番組内容に関連深いキーワードであり複数含まれていても良い。図２１よりわかるように図２０で示した私的番組表の番組における番組情報にユーザーの登録した嗜好情報であるハワイ、坂本竜馬、ラーメン、小林一郎の情報が少なくとも一つは含まれており情報サーバー７２ならびにデジタルテレビジョン受信機７３において検索が可能であることがわかる。
【０２０５】
また、本実施例では番組推定情報ＲＡＭ６４に記憶する私的番組表情報を推定するための情報はユーザーが登録する嗜好情報であったが、ユーザーが視聴している番組の番組表情報の統計を取ることで、マイコン６５がユーザーの嗜好を推定しその結果を嗜好情報として番組推定情報ＲＡＭ６４に記憶する場合も考えられる。
【０２０６】
具体的にはＳＴＥＰ５２とＳＴＥＰ５３の代わりにユーザーが視聴中した番組における番組表情報を取得して、図示していないマイコン６５の管理下の不揮発性メモリに番組表情報におけるユーザーの嗜好に関わる項目例えばジャンルや出演者やキーワード情報などを内容毎にカウントした結果を蓄積し、カウント数が多い物からを優先的に嗜好情報として推定することが考えられる。
【０２０７】
また、本実施例では番組推定情報ＲＡＭ６４に嗜好情報を記憶したが、番組推定情報ＲＡＭ６４を省略し情報サーバー７２に嗜好情報を登録し記憶する場合も考えられる。その場合、ＳＴＥＰ５４の代わりにユーザーの嗜好情報を情報サーバーに送信しＳＴＥＰ５６では嗜好情報を送信することを簡略化する。
【０２０８】
情報サーバー７２ではユーザー認証後ユーザーにより登録された嗜好情報を利用して蓄積している番組表情報の中から嗜好情報と合致する番組表情報を持った番組を検索してテレビジョン放送受信機７３に送信することが考えられる。
【０２０９】
また、本実施例では情報サーバー７２と放送局からの番組表情報を編集して表示したが、情報サーバー７２から取得する私的番組表情報のみを表示する場合もありうる。その場合は、番組表情報取得回路７５と番組表情報ＲＡＭ７６は簡略化可能でありＳＴＥＰ５８そしてＳＴＥＰ５９における編集作業を簡略化可能である。
【０２１０】
また、そのように放送局が放送する番組表情報と編集せずに情報サーバーから取得する私的番組表のみを表示する場合には、情報サーバー７２で私的番組表をＨＴＭＬを用いて生成しデジタルテレビジョン放送受信機７３においては私的番組表をＷｅｂページとして受信してユーザーの名前などのデジタル放送受信機７３で保有する情報を合成して表示する場合も考えられる。
【０２１１】
以上のように本実施例のテレビジョン放送受信機は、通信回線を介して情報サーバーに接続し、ユーザーの欲する情報を推定できる情報を情報サーバーに送信することで、情報サーバーはユーザーの欲する情報を推定しユーザーに送信できるため、放送局が制作し放送する番組表の情報のみしか得る事ができないという問題や、放送局とは異なる事業者が各放送局が放送する全ての番組の関連情報を提供する情報サーバーを立ち上げたとしても、そのような情報サーバーからユーザーの欲する番組に関連する情報を得る事ができないという問題を解決できる。
【０２１２】
（実施の形態４）
以下本発明の第４の実施例を図面を参照しながら説明する。
【０２１３】
図２２は本発明の第４の実施例の構成を示すものである。
【０２１４】
図２２において、９３はデジタルテレビジョン放送受信機である。８１はチューナーで、アンテナが受信したデジタルテレビジョン放送の選局を行った後復調したトランスポートストリームを出力する。８２はトランスポートストリーム（ＴＳ）デコーダーで、チューナー８１が出力するトランスポートストリームを入力し、ユーザーが選択した番組のＡＶのストリームやデータ放送関係のパケットをフィルタリングして出力する。そのフィルタリングはＰＡＴパケットやＰＭＴパケット内に記載されているＰＩＤを用いて行われる事はデジタルテレビジョンにおいて周知の技術であるので詳細説明は省略する。
【０２１５】
８３はＡＶデコーダーでトランスポートストリームデコーダー８２が出力するＡＶのストリームを入力し、ＡＶデコードして出力する。９４はバッファーメモリで、トランスポートデコーダー８２がフィルタリングしたデータ放送のパケットやブックマークサービスで放送されるＵＲＬ情報や後述する情報サーバー９２からの得たデータをマイコン８５の制御により展開して記憶する。９５はアイコン情報ＲＡＭで、後述する情報サーバー９２からの得たアイコン情報例えばアイコンのビットマップデータおよび関連するコンテンツのＵＲＬ情報をマイコン８５の制御により展開して記憶する。
【０２１６】
８５はマイコンで、デジタルテレビジョン放送受信機９３の各要素の制御を行う。動作の詳細は後述する。８６はリモコンで、ユーザーインターフェースである。８７は受光回路で、リモコン８６からの信号を受信し電気信号をマイコン８５に出力する。８４は番組推定情報ＲＡＭで、後述する情報サーバー９２に送信するユーザーが欲する番組情報を推定するための情報をマイコン８５の制御で記憶する。詳細は後述する。
【０２１７】
８８はＯＳＤコントローラーで、データ放送画面や後述する情報サーバー９２から得た情報をマイコン８５の制御により、構成する文字やグラフィクスデータを画素データに変換しＡＶデコーダー８３に出力する。ＡＶデコーダー８３ではビデオデコードした映像とＯＳＤコントローラ８８から入力した文字やグラフィクスを合成して出力する。
【０２１８】
９０はモデムで、通信会社の通信回線やサービスプロバイダを介してインターネット網に接続されており、マイコン８５の制御で通信回線からのデータを受信して復調しマイコン８５に出力したり、送信データを変調して通信回線に出力する。モデム９０においては電話回線を使用するいわゆるモデムのみでなく、電話回線を使用するＡＤＳＬモデムや光ファーバー網を使用するＦＴＴＨのＯＮＵやケーブルテレビ回線を使用するケーブルモデムなどあらゆる通信端末でも良く、接続方式はダイヤルアップ接続のみでなく常時接続の方式でも良い。
【０２１９】
本実施例ではそれらの通信回線を介して図示していない視聴情報収集センターと接続し視聴履歴情報を送信する事に加えてインターネット網や図示していないケーブルテレビ網などに位置する情報サーバー９２と接続しデータの送受信を行う。
【０２２０】
なお、マイコン８５のソフトウェアにより視聴中の番組が終了した事やユーザーの指示で視聴番組を変更した事を検出する事もできる。視聴中の番組が終了した事は、放送される番組表生成用の情報の一つである番組終了時刻を参照する事で検出可能である。
【０２２１】
デジタルテレビジョン放送やアナログ文字多重放送においては、番組表生成用の情報を放送する事は一般的である。また、リモコン８６を用いたユーザーの指示はマイコン８５が全て解釈するため、ユーザーがリモコン８６を操作して視聴番組を変更した事も検出可能である。これらの検出は専用ハードウェアを備えて実現する場合も有り得る。また情報サーバー９２は単一のサーバーでなくても良い。
【０２２２】
なお、本実施例ではデジタルテレビジョン放送受信機について説明したが、アナログのテレビジョン受信機の場合も同様に可能である。
【０２２３】
次に本実施例の動作を図２３と図２４と図２５を用いて説明する。
【０２２４】
本実施例は、ユーザーが欲する番組に関連する情報を情報サーバー９２から受信し表示するものである。
【０２２５】
ユーザーが番組を視聴している時、マイコン８５の制御により視聴している番組の関連情報のアイコン情報を推定する番組推定情報を番組推定情報ＲＡＭ８４に記憶する（ＳＴＥＰ６１）。番組推定情報については第１の実施例において説明した内容と同様であるが、ブックマークサービスなどでデジタル放送に重畳して放送局から送信される情報サーバー９２内のコンテンツを識別するためのＵＲＬ情報などであっても良い。ユーザーが視聴中に番組の関連情報を欲した場合、アイコン情報を取得し保持するようにリモコン８６を操作して指示する（ＳＴＥＰ６２）。指示方法はリモコン８６に専用キーを用意しても良いし、画面上にメニューを表示させてその中から指示ボタンを選択して決定しても良い。ユーザーが関連情報を欲する機会としては、ブックマークサービスなどにより関連情報が存在することを示すアイコンをユーザーが見た時やテレビジョン放送番組内にＵＲＬや関連情報などが紹介されてユーザーが見た時が考えられる。
【０２２６】
マイコン８５は受光回路８７を介して入力した信号からアイコン情報を取得し保持する指示と解釈し、マイコン８５はモデム９０を制御して番組推定情報ＲＡＭに記憶されている番組推定情報と関連するアイコン情報を要求するコマンドを情報サーバー９２に送信する（ＳＴＥＰ６３）。コマンドについては第１の実施例において説明した内容と同様であるが、番組推定情報が別途データ放送やブックマークサービスなどで放送されたＵＲＬであればＵＲＬのテキストデータを含めたアイコン情報を要求するコマンドを送信する。
【０２２７】
情報サーバー９２は番組に関連する情報のアイコン情報を要求するコマンドを解釈し、ユーザーが欲している番組に関連する情報に関わるアイコンのビットマップとユーザーが欲している番組に関連する情報の所在を示すＵＲＬ情報を番組推定情報から推定し、データーベースより探し出してデジタルテレビジョン放送受信機９３に送信する。
【０２２８】
マイコン８５は送信されたアイコンのビットマップとユーザーが欲している番組に関連する情報の所在を示すＵＲＬ情報とをモデム９０を制御して受信しアイコン情報としてアイコン情報ＲＡＭ９５に記憶する（ＳＴＥＰ６４）。番組推定情報が情報サーバー９２内のコンテンツを識別するためのＵＲＬ情報である場合は簡略化するためにアイコンのビットマップのみを記憶する場合もある。
【０２２９】
その後ユーザーのリモコン８６を用いた操作で視聴番組が変わった場合（ＳＴＥＰ６５）、マイコン８５はその操作を前述したように解釈して、ＯＳＤコントローラー８８を用いて、番組が変わった事を知らしめる文字と番組視聴中に取得したアイコンのビットマップを用いてアイコンを画面上に表示して、ユーザーからの番組に関連する情報を取得する指示を待つ（ＳＴＥＰ６６）。
【０２３０】
また、視聴していた番組が終了した場合（ＳＴＥＰ６７）、マイコン８５は終了時刻になった事を認識し、番組が終わった事を知らしめる文字と番組視聴中に取得したアイコンを同様に画面上に表示して、ユーザーからの番組に関連する情報を取得する指示を待つ（ＳＴＥＰ６８）。その後それぞれの状態で定められているタイムアウトまでに番組に関連する情報を取得するユーザーの指示がユーザーがリモコン８６を用いて表示されているアイコンをクリックするなどしてあった場合（ＳＴＥＰ６９）、マイコン８５はモデム９０を制御してアイコン情報と関連する番組に関連する情報をＳＴＥＰ６４にて取得し保持しているＵＲＬ情報を用いて情報サーバー９２から受信する。次にマイコン８５はＯＳＤコントローラ８８を制御して番組に関連する情報を構成する文字やグラフィクスデータを画素データに変換しＡＶデコーダー８３に出力する。ＡＶデコーダー８３ではビデオデコードした映像とＯＳＤコントローラ８８から入力した番組に関連する情報を合成して出力する（ＳＴＥＰ７０）。
【０２３１】
ＳＴＥＰ６９でタイムアウトが生じた場合は、マイコン８５はＯＳＤコントローラー８８を用いて、番組に関連する情報の取得を取り消すかどうかを確認する文字を画面上に表示して、ユーザーからの指示を待つ（ＳＴＥＰ７１）。ユーザーからの指示が取り消す場合には、番組推定情報の保持とアイコン情報の保持を解除する（ＳＴＥＰ７２）。取り消さない場合は番組推定情報とアイコン情報の保持を続ける。
【０２３２】
またユーザーがアイコン一覧を用いて欲する番組に関連する情報を情報サーバー９２から受信し表示する場合もある。図２５を用いて説明する。ＳＴＥＰ６４以降にユーザーがアイコン一覧を表示する支持をリモコン８６で送信した場合（ＳＴＥＰ７３）、マイコン８５はアイコン情報ＲＡＭ９５で保持されているアイコンのビットマップを読み出しＯＳＤコントローラ８８を制御してアイコンの一覧表を表示する（ＳＴＥＰ７４）。その場合全てのアイコンを一覧表示しても良いし、数ページに分けて表示しても良いし、特定の条件に一致したアイコンのみを表示しても良い。一覧表を見たユーザーがアイコンを選択してクリックするなどして番組に関連する情報を取得する指示をリモコン８６を用いて送信した場合（ＳＴＥＰ７５）、マイコン８５はモデム９０を制御してそのアイコン情報と関連する番組に関連する情報を、ＳＴＥＰ６４にて取得し保持しているＵＲＬ情報を用いて情報サーバー９２から受信する。次にマイコン８５はＯＳＤコントローラ８８を制御して番組に関連する情報を構成する文字やグラフィクスデータを画素データに変換しＡＶデコーダー８３に出力する。ＡＶデコーダー８３ではビデオデコードした映像とＯＳＤコントローラ８８から入力した番組に関連する情報を合成して出力する（ＳＴＥＰ７６）。
【０２３３】
本実施例においてＲＡＭを簡略化するためにＳＴＥＰ６４でのアイコン情報取得をＳＴＥＰ６６とＳＴＥＰ６８とＳＴＥＰ７４でのアイコン表示のタイミングで情報サーバー９２に接続して取得する場合もある。その場合はＳＴＥＰ６４においてアイコン情報を保持する代わりに番組推定情報を保持する。アイコン情報と番組推定情報とでデータ量の少ない方を保持することによりＲＡＭの簡略化が可能である。
【０２３４】
次に情報サーバーから取得しアイコン情報ＲＡＭ９５に保持しているアイコンを表示する場合の実施例を図２６と図２７を用いて説明する。
【０２３５】
図２６ではＳＴＥＰ６６とＳＴＥＰ６８でのアイコンの表示例を示した物である。画面上にユーザーが視聴している番組が表示されており、その右上に前の番組視聴中に情報サーバーから受信して保持しているアイコンが二つ番組に重ねあわせて表示している。これはユーザーが前の番組の視聴中にアイコン情報を取得し保持する指示を二度行った事を意味している。また図２６ではＯＳＤにより番組が変わった事を知らしめて情報を取得するかどうかを選択するように促している。ユーザーはリモコンを用いてアイコンを選択し決定キーを押す事で欲する情報を取得する事ができる。なおアイコン情報を取得し保持する事と視聴予約する事はこの例においては同義である。
【０２３６】
図２７ではＳＴＥＰ７４でのアイコン一覧の表示例を示した物である。画面上には６個のアイコンが表示可能な一覧表が表示されており、一覧表上に実際に保持されている３個のアイコンが表示されている。ユーザーはこの一覧からリモコンを用いてアイコンを選択し決定キーを押す事で情報を取得する事ができる。なおこの例においてはアイコン情報を取得し保持する事と視聴予約する事は同義であり、アイコンの一覧と視聴予約の一覧は同一である。
【０２３７】
以上のように本実施例のテレビジョン放送受信機は、通信回線を介して情報サーバーに接続し、ユーザーの欲する番組関連情報に関わるアイコン情報を推定できる情報を情報サーバーに送信することで、情報サーバーはユーザーの欲するアイコン情報を推定しユーザーに送信できるため、放送局が制作し放送するデータ放送の情報のみしか得る事ができず、情報の内容も放送局毎に異なる状況においては、ユーザーの欲する特定の情報を全ての放送局において常に得ることができないという問題や放送局とは異なる事業者が、各放送局が放送する全ての番組の関連情報を提供する情報サーバーを立ち上げたとしても、そのような情報サーバーからユーザーの欲する番組に関連する情報やアイコン情報を得る事ができないという問題を解決できる。
【０２３８】
また、番組推定情報を保持するとともに番組終了や番組が変わった事を検出した後、番組に関連する情報を取得するように制御できる事により、ユーザーが番組に関連する情報を番組視聴終了後に見たいという要求に対しては、一般の従来のテレビジョン放送受信機では現在放送されているデータ放送しか表示できないという問題やアイコンを画面上に複数個表示することや一覧表示することができないという問題を解決できる。
【０２３９】
【発明の効果】
以上のように本発明のテレビジョン放送受信機は、通信回線を介して情報サーバーに接続し、ユーザーの欲する情報を推定できる適切な情報を情報サーバーに送信することで、情報サーバーはユーザーの欲する番組に関連する情報や私的な番組表や情報に関連するアイコン情報を推定しユーザーに送信できることと、情報サーバーが送信する日時情報を用いて受信した情報の選択ができることにより、放送局が制作し放送するデータ放送や番組表情報やアイコン情報のみしか得る事ができず、情報の内容も放送局毎に異なる状況においては、ユーザーの欲する特定の情報を全国レベルの全ての放送局において常に得ることができないという問題や放送局とは異なる事業者が、各放送局が放送する全ての番組の関連情報を提供する情報サーバーを立ち上げたとしても、そのような情報サーバーに対してユーザーの要求を推定するための適切な情報を伝える事ができずユーザーの欲する番組に関連する情報を確実に得る事ができないという問題を解決できる。
【０２４０】
また、番組推定情報を保持するとともに番組終了や番組が変わった事を検出した後、番組に関連する情報を取得するように制御できる事により、ユーザーが番組に関連する情報を番組視聴終了後に見たいという要求に対しては、一般の従来のテレビジョン放送受信機では現在放送されているデータ放送しか表示できないという問題を解決できるテレビジョン放送受信機を実現できるものである。
【図面の簡単な説明】
【図１】本発明の第一の実施例におけるブロック図
【図２】本発明の第一の実施例における動作フローチャート
【図３】本発明の第一の実施例における番組推定情報の実施例図
【図４】本発明の第一の実施例における番組推定情報の実施例図
【図５】本発明の第一の実施例における番組推定情報の実施例図
【図６】本発明の第一の実施例における番組推定情報の実施例図
【図７】本発明の第一の実施例における表示画面を示す図
【図８】従来のブロック図
【図９】従来例における動作フローチャート
【図１０】本発明の第二の実施例におけるブロック図
【図１１】本発明の第二の実施例における動作フローチャート
【図１２】本発明の第二の実施例における番組推定情報と記憶するの日時の実施例図
【図１３】本発明の第二の実施例における番組推定情報の実施例図
【図１４】本発明の第二の実施例における番組推定情報の実施例図
【図１５】本発明の第二の実施例における番組に関連する情報と日時情報の実施例図
【図１６】本発明の第二の実施例における番組関連情報表示画面例を示す図
【図１７】本発明の第二の実施例における番組関連情報マーキング一覧表示画面例を示す図
【図１８】本発明の第三の実施例におけるブロック図
【図１９】本発明の第三の実施例における動作フローチャート
【図２０】本発明の第三の実施例における私的番組表表示例図
【図２１】本発明の第三の実施例における番組表情報例図
【図２２】本発明の第四の実施例におけるブロック図
【図２３】本発明の第四の実施例における動作フローチャート
【図２４】本発明の第四の実施例における動作フローチャート
【図２５】本発明の第四の実施例における動作フローチャート
【図２６】本発明の第四の実施例におけるアイコン表示例図
【図２７】本発明の第四の実施例における視聴予約一覧例図
【符号の説明】
１　チューナー
２　トランスポートデコーダー
３　ＡＶデコーダー
４　番組推定情報ＲＡＭ
５　マイコン
６　リモコン
７　受光回路
８　ＯＳＤコントローラ
１０　モデム
１１　コネクタ
１２　情報サーバー
４１　チューナー
４２　トランスポートデコーダー
４３　ＡＶデコーダー
４４　番組推定情報ＲＡＭ
４５　マイコン
４６　リモコン
４７　受光回路
４８　ＯＳＤコントローラ
５０　モデム
５１　コネクタ
５２　情報サーバー
５５　番組情報取得回路
５６　日時ＲＡＭ
６１　チューナー
６２　トランスポートデコーダー
６３　ＡＶデコーダー
６４　番組推定情報ＲＡＭ
６５　マイコン
６６　リモコン
６７　受光回路
６８　ＯＳＤコントローラ
７０　モデム
７１　コネクタ
７２　情報サーバー
７５　番組表情報取得回路
７６　番組表情報ＲＡＭ
７７　嗜好情報取得回路
８１　チューナー
８２　トランスポートデコーダー
８３　ＡＶデコーダー
８４　番組推定情報ＲＡＭ
８５　マイコン
８６　リモコン
８７　受光回路
８８　ＯＳＤコントローラ
９０　モデム
９１　コネクタ
９２　情報サーバー
９４　バッファーメモリ
９５　アイコン情報ＲＡＭ
【図１】
2004007323.tif 000003
【図２】
2004007323.tif 000004
【図３】
2004007323.tif 000005
【図４】
2004007323.tif 000006
【図５】
2004007323.tif 000007
【図６】
2004007323.tif 000008
【図７】
2004007323.tif 000009
【図８】
2004007323.tif 000010
【図９】
2004007323.tif 000011
【図１０】
2004007323.tif 000012
【図１１】
2004007323.tif 000013
【図１２】
2004007323.tif 000014
【図１３】
2004007323.tif 000015
【図１４】
2004007323.tif 000016
【図１５】
2004007323.tif 000017
【図１６】
2004007323.tif 000018
【図１７】
2004007323.tif 000019
【図１８】
2004007323.tif 000020
【図１９】
2004007323.tif 000021
【図２０】
2004007323.tif 000022
【図２１】
2004007323.tif 000023
【図２２】
2004007323.tif 000024
【図２３】
2004007323.tif 000025
【図２４】
2004007323.tif 000026
【図２５】
2004007323.tif 000027
【図２６】
2004007323.tif 000028
【図２７】
2004007323.tif 000029